(57)【要約】  通信システムにおける協調マルチポイント（ＣｏＭＰ）通信のためのフィードバック方法及び装置を提供する。この方法は、ＲＲＣシグナリングにより構成されたフィードバック割り当ての数をチェックし、フィードバック割り当てのチェック数に基づいて、非周期的フィードバック指示子のビット数を判定し、非周期的フィードバック指示子を含むＤＣＩを受信し、判定された非周期的フィードバック指示子のビット数に基づいて、非周期的フィードバック指示子を解析し、非周期的フィードバック指示子に基づいて、少なくとも一つのフィードバック割り当ての周期的フィードバックを実行することを含む。
2015502686.tif 000002
【特許請求の範囲】
【請求項１】
通信システムにおける協調マルチポイント（ＣｏＭＰ）通信のためのフィードバック方法であって、
無線リソース制御（ＲＲＣ）シグナリングにより構成されたフィードバック割り当ての数をチェックするステップと、
前記フィードバック割り当てのチェック数に基づいて、非周期的フィードバック指示子のビット数を判定するステップと、
前記非周期的フィードバック指示子を含むダウンリンク制御情報（ＤＣＩ）を受信するステップと、
前記判定された非周期的フィードバック指示子のビット数に基づいて、前記非周期的フィードバック指示子を解析するステップと、
前記非周期的フィードバック指示子に基づいて、少なくとも一つのフィードバック割り当ての非周期的フィードバックを実行するステップと、を含むことを特徴とする方法。
【請求項２】
前記非周期的フィードバック指示子のビット数を判定するステップは、さらに前記ＤＣＩのチャネルタイプに基づくことを特徴とする請求項１に記載の方法。
【請求項３】
前記非周期的フィードバック指示子のビット数を判定するステップは、
単一フィードバック割り当てが割り当てられる場合、前記非周期的フィードバック指示子のビット数を１と判定するステップと、
前記ＤＣＩが共用検索空間内で送信される場合、前記非周期的フィードバック指示子のビット数を１と判定するステップと、
前記ＤＣＩがユーザ端末（ＵＥ）−特定検索空間内で送信される場合、前記非周期的フィードバック指示子のビット数を２と判定するステップと、を含むことを特徴とする請求項２に記載の方法。
【請求項４】
前記非周期的フィードバック指示子のビット数を判定するステップは、
前記ＤＣＩがキャリアアグリゲーション（ＣＡ）状態で送信されるダウンリンク（ＤＬ）コンポーネントキャリア（ＣＣ）の数をチェックするステップと、
単一フィードバック割り当てが割り当てられ、単一ＣＣが割り当てられる場合、前記非周期的フィードバック指示子のビット数を１と判定するステップと、
複数のフィードバック割り当てが割り当てられるか、複数のＣＣが割り当てられ、ＤＣＩが共用検索空間内で送信される場合、前記非周期的フィードバック指示子のビット数を１と判定するステップと、
複数のフィードバック割り当てが割り当てられるか、複数のＣＣが割り当てられ、ＤＣＩがユーザ端末（ＵＥ）−特定検索空間内で送信される場合、前記非周期的フィードバック指示子のビット数を２と判定するステップと、を含むことを特徴とする請求項２に記載の方法。
【請求項５】
前記非周期的フィードバック指示子は、
非周期的フィードバックがトリガーされないことを示す第１の値、
すべてのフィードバック割り当てに対して非周期的フィードバックがトリガーされることを示す第２の値、
フィードバック割り当てのうち、所定の基準によって指定された代表的なフィードバック割り当てに対して非周期的フィードバックがトリガーされることを示す第３の値、
ＲＲＣシグナリングにより構成されたフィードバック割り当ての特定セットに対して非周期的フィードバックがトリガーされることを示す第４の値の、４つの値のうち少なくとも一つで設定されることを特徴とする請求項１に記載の方法。
【請求項６】
前記ＤＣＩがキャリアアグリゲーション（ＣＡ）状態で送信される少なくとも一つのダウンリンク（ＤＬ）コンポーネントキャリア（ＣＣ）で、前記非周期的フィードバックが実行されることを特徴とする請求項５に記載の方法。
【請求項７】
通信システムにおける協調マルチポイント（ＣｏＭＰ）通信のためのフィードバック方法であって、
無線リソース制御（ＲＲＣ）シグナリングにより構成されたフィードバック割り当ての数をチェックするステップと、
前記フィードバック割り当てのチェック数に基づいて、非周期的フィードバック指示子のビット数を判定するステップと、
前記判定されたビット数により生成された非周期的フィードバック指示子を含むダウンリンク制御情報（ＤＣＩ）をユーザ端末（ＵＥ）に送信するステップと、
前記非周期的フィードバック指示子に基づいて、前記ＵＥから少なくとも一つの非周期的フィードバックを受信するステップと、を含むことを特徴とする方法。
【請求項８】
前記非周期的フィードバック指示子のビット数を判定するステップは、さらに前記ＤＣＩのチャネルタイプに基づくことを特徴とする請求項７に記載の方法。
【請求項９】
前記非周期的フィードバック指示子のビット数を判定するステップは、
単一フィードバック割り当てが割り当てられる場合、前記非周期的フィードバック指示子のビット数を１と判定するステップと、
前記ＤＣＩが共用検索空間内で送信される場合、前記非周期的フィードバック指示子のビット数を１と判定するステップと、
前記ＤＣＩがユーザ端末（ＵＥ）−特定検索空間内で送信される場合、前記非周期的フィードバック指示子のビット数を２と判定するステップと、を含むことを特徴とする請求項８に記載の方法。
【請求項１０】
前記非周期的フィードバック指示子のビット数を判定するステップは、
前記ＤＣＩがキャリアアグリゲーション（ＣＡ）状態で送信されるダウンリンク（ＤＬ）コンポーネントキャリア（ＣＣ）の数をチェックするステップと、
単一フィードバック割り当てが割り当てられ、単一ＣＣが割り当てられる場合、前記非周期的フィードバック指示子のビット数を１と判定するステップと、
複数のフィードバック割り当てが割り当てられるか、複数のＣＣが割り当てられ、ＤＣＩが共用検索空間内で送信される場合、前記非周期的フィードバック指示子のビット数を１と判定するステップと、
複数のフィードバック割り当てが割り当てられるか、複数のＣＣが割り当てられ、ＤＣＩがユーザ端末（ＵＥ）−特定検索空間内で送信される場合、前記非周期的フィードバック指示子のビット数を２と判定するステップと、を含むことを特徴とする請求項８に記載の方法。
【請求項１１】
前記非周期的フィードバック指示子は、
非周期的フィードバックがトリガーされないことを示す第１の値、
すべてのフィードバック割り当てに対して非周期的フィードバックがトリガーされることを示す第２の値、
フィードバック割り当てのうち、所定の基準によって指定された代表的なフィードバック割り当てに対して非周期的フィードバックがトリガーされることを示す第３の値、
ＲＲＣシグナリングにより構成されたフィードバック割り当ての特定セットに対して非周期的フィードバックがトリガーされることを示す第４の値の、４つの値のうち少なくとも一つで設定されることを特徴とする請求項７に記載の方法。
【請求項１２】
前記ＤＣＩがキャリアアグリゲーション（ＣＡ）状態で送信される少なくとも一つのダウンリンク（ＤＬ）コンポーネントキャリア（ＣＣ）で、前記非周期的フィードバックが実行されることを特徴とする請求項１１に記載の方法。
【請求項１３】
請求項１乃至６のうちいずれか一項に記載の方法を実行するための通信システムにおける協調マルチポイント（ＣｏＭＰ）通信のためにフィードバックを実行するユーザ端末（ＵＥ）装置。
【請求項１４】
請求項７乃至１２のうちいずれか一項に記載の方法を実行するための通信システムにおける協調マルチポイント（ＣｏＭＰ）通信のためのフィードバックを実行するネットワーク装置。
【発明の詳細な説明】
【技術分野】
【０００１】
本発明は、セルラー移動通信システムに関し、特に、複数の基地局（ＢＳ）（またはノードＢ）によりユーザ端末（ＵＥ）のダウンリンク送信をサポートするフィードバック信号を生成する方法及び装置に関するものである。
【背景技術】
【０００２】
移動通信システムは、音声中心のサービスのみを提供する初期段階から、データ及びマルチメディアサービスを提供する高速及び高品質無線パケットデータ通信システムに発展してきた。最近、多様なモバイル通信標準、例えば３ＧＰＰ（3rd Generation Partnership Project）のＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution Advanced）、３ＧＰＰ２のＨＲＰＤ（High Rate Packet Data）、及びＩＥＥＥ（Institution of Electrical and Electronics Engineers）の８０２.１６などが高速及び高品質無線パケットデータ送信サービスをサポートするために開発されている。
【０００３】
ＬＴＥシステムは、高速無線パケットデータ送信を効率的にサポートするために開発され、様々な無線接続技術を活用して無線システムキャパシティを最大化する。ＬＴＥ−Ａシステム、すなわちＬＴＥシステムから進歩した無線システムは、ＬＴＥシステムと比較すると、より高度なデータ送信能力を有する。
【０００４】
既存の３世代無線パケットデータ通信システム、例えば、ＨＳＤＰＡ、ＨＳＵＰＡ、ＨＲＰＤなどは、送信効率を向上させるために、ＡＭＣ（Adaptive Modulation and Coding）方式及びチャネルセンシティブスケジューリング方式を使用する。ＡＭＣ方式を使用すると、送信器はチャネル状態に従って送信されるデータの量を調整することができる。ＡＭＣ及びチャネルセンシティブスケジューリングは、受信器からフィードバックされる部分的なチャネル情報に基づいて判定された最も効率的な時点で適切な変調及びコーディングを適用する。
【０００５】
ＡＭＣ適用無線パケットデータ通信システムにおいて、送信器は、チャネル状態に従って送信データの量を調整する。例えば、劣悪なチャネル状態で、送信器は送信データの量を減少させて所望のレベルまで受信誤り率を調整することができ、良好なチャネル状態で、送信器は送信データの量を増加させて所望のレベルまで受信誤り率を調整して、効率的に大量の情報を送信することができる。
【０００６】
送信器が一人のユーザのみにチャネルを割り当てて該当ユーザにサービスを提供する場合と比較すると、チャネルセンシティブスケジューリングリソース管理が適用される無線パケットデータ送信システムでは、送信器は複数のユーザの中で良好なチャネル状態を有するユーザに選択的にサービスを提供することによって、システムキャパシティの向上に寄与する。このようなシステムキャパシティの向上を、“マルチユーザダイバーシティ利得（multi-user diversity gain）”と称する。
【０００７】
ＡＭＣは、ＭＩＭＯ（Multiple Input Multiple Output）送信方式と共に使用される場合に、空間階層の数または送信信号に対するランクを判定することができる。この場合に、ＡＭＣ適用無線パケットデータ通信システムは、最適のデータレートを判定するにあたり、符号化レート、変調方式、及びＭＩＭＯを用いて信号が送信されるべき階層の数を考慮する。
【０００８】
基本的に、セルラー移動通信システムは、制限された空間に複数のセルを確立することにより形成される。各セルで、ノードＢ装備はセル内のＵＥに移動通信サービスを提供する。移動通信サービスがセル単位で独立的に提供される場合、セルごとのダウンリンク（ＤＬ；DownLink）チャネル状態を測定するように、チャネル推定のための参照信号（ＲＳ；Reference Signal）が各セルのＵＥに送信される。
【０００９】
３ＧＰＰ ＬＴＥ−Ａシステムで、ＵＥは自身とノードＢ間のチャネル状態を、ノードＢから送信されたＣＳＩ−ＲＳ（Channel Status Information Reference Signal）を用いて測定する。
しかし、既存フィードバック技術は、単一ノードＢ、すなわち単一送信地点の、特定ＵＥに送信されるＣＳＩフィードバックのみを考慮する。
【００１０】
セルラー移動通信システムでは、セル端に位置するＵＥに対して、隣接セルは協調マルチポイント（ＣｏＭＰ；Cooperative Multi-point）送信（簡単に、“ＣｏＭＰ”とも称する）を通じて、相互に協調してデータ送信を行う。したがって、ＣｏＭＰ送信では、多様な送信地点からの同時送信を考慮して、複数のＣＳＩフィードバックに対応する技術が必要である。
【発明の概要】
【発明が解決しようとする課題】
【００１１】
本発明の目的は、少なくとも上述した問題点及び／又は不都合を解決し、少なくとも以下の利便性を提供することにある。
すなわち、本発明の目的は、無線通信システムにおけるＣｏＭＰ送信を使用したフィードバックを生成する効果的な方法を提供することにある。
本発明の他の目的は、無線通信システムにおけるＣｏＭＰ送信を使用したフィードバックを効果的に生成する装置を提供することにある。
本発明のさらに他の目的は、複数のＣＳＩフィードバックシナリオで、詳細なフィードバック方法及び装置を提供することにある。
【課題を解決するための手段】
【００１２】
上記のような目的を達成するために、本発明の一態様によれば、通信システムにおける協調マルチポイント（ＣｏＭＰ）通信のためのフィードバック方法を提供する。この方法は、無線リソース制御（ＲＲＣ）シグナリングにより構成されたフィードバック割り当ての数をチェックするステップと、上記フィードバック割り当てのチェック数に基づいて、非周期的フィードバック指示子のビット数を判定するステップと、上記非周期的フィードバック指示子を含むダウンリンク制御情報（ＤＣＩ）を受信するステップと、  上記判定された非周期的フィードバック指示子のビット数に基づいて、上記非周期的フィードバック指示子を解析するステップと、上記非周期的フィードバック指示子に基づいて、少なくとも一つのフィードバック割り当ての非周期的フィードバックを実行するステップと、を含む。
【００１３】
本発明の他の態様によれば、通信システムにおける協調マルチポイント（ＣｏＭＰ）通信のためのフィードバック方法を提供する。この方法は、無線リソース制御（ＲＲＣ）シグナリングにより構成されたフィードバック割り当ての数をチェックするステップと、上記フィードバック割り当てのチェック数に基づいて、非周期的フィードバック指示子のビット数を判定するステップと、上記判定されたビット数により生成された非周期的フィードバック指示子を含むダウンリンク制御情報（ＤＣＩ）をユーザ端末（ＵＥ）に送信するステップと、上記非周期的フィードバック指示子に基づいて、上記ＵＥから少なくとも一つの非周期的フィードバックを受信するステップと、を含む。
【００１４】
本発明のさらに他の態様によれば、通信システムにおける協調マルチポイント（ＣｏＭＰ）通信のためにフィードバックを実行するユーザ端末（ＵＥ）装置を提供する。
上記ＵＥ装置は、無線リソース制御（ＲＲＣ）シグナリングにより構成されたフィードバック割り当ての数をチェックし、フィードバック割り当てのチェック数に基づいて、非周期的フィードバック指示子のビット数を判定し、判定された非周期的フィードバック指示子のビット数に基づいて、非周期的フィードバック指示子を解析する制御器と、
非周期的フィードバック指示子を含むダウンリンク制御情報（ＤＣＩ）を受信し、非周期的フィードバック指示子に基づいて、少なくとも一つのフィードバック割り当ての非周期的フィードバックを実行する送受信器と、を含む。
【００１５】
本発明のまたさらに他の態様によれば、通信システムにおける協調マルチポイント（ＣｏＭＰ）通信のためにフィードバックを実行するネットワーク装置を提供する。
上記ネットワーク装置は、無線リソース制御（ＲＲＣ）シグナリングにより構成されたフィードバック割り当ての数をチェックし、フィードバック割り当てのチェック数に基づいて、非周期的フィードバック指示子のビット数を判定し、非周期的フィードバック指示子を含むダウンリンク制御情報（ＤＣＩ）を生成する制御器と、
ＤＣＩをユーザ端末（ＵＥ）に送信し、非周期的フィードバック指示子に基づいて、ＵＥから少なくとも一つの非周期的フィードバックを受信する送受信器と、を含む。
本発明の実施形態の上述した及び他の様相、特徴、及び利点は、以下の添付図面が併用された後述の詳細な説明から、より一層明らかになるだろう。
【図面の簡単な説明】
【００１６】
【図１】送信／受信アンテナが各セルの中央に位置された既存のセルラー移動通信システムを示す図である。
【図２】ＬＴＥ−ＡシステムにおけるノードＢがＵＥに送信する既存のＣＳＩ−ＲＳの位置を示す図である。
【図３】ＬＴＥ−Ａシステムのフィードバックモード１−０又は１−１で、ＵＥの既存フィードバックタイミングの一例を示す図である。
【図４】ＬＴＥ−Ａシステムのフィードバックモード２−０又は２−１で、ＵＥの既存フィードバックタイミングの一例を示す図である。
【図５】ＬＴＥ−Ａシステムのフィードバックモード２−０又は２−１で、ＵＥの既存フィードバックタイミングの他の例を示す図である。
【図６】ＬＴＥ−Ａシステムのフィードバックモード２−０又は２−１で、ＵＥの既存フィードバックタイミングの他の例を示す図である。
【図７】本発明の実施形態によるセルラー移動通信システムを示した図である。
【図８】本発明の実施形態によるノードＢがＵＥに送信するＣＳＩ−ＲＳの位置を示す図である。
【図９】本発明の実施形態によるＣｏＭＰのみの状態で非周期的フィードバック指示子のビット数を判定する方法を示すフローチャートである。
【図１０】本発明の実施形態によって、ＣｏＭＰ及びＣＡを同時に考慮した場合、非周期的フィードバック指示子のビット数を判定する方法を示すフローチャートである。
【図１１】本発明の実施形態によるＤＣＩフォーマットの例を示す図である。
【図１２】本発明の実施形態によるＤＣＩフォーマットの例を示す図である。
【図１３】本発明の実施形態によるＤＣＩフォーマットの例を示す図である。
【図１４】本発明の実施形態によって、ＣｏＭＰのためのＣＳＩフィードバックの実行が要請されたＵＥの方法を示すフローチャートである。
【図１５】本発明の実施形態によるＵＥを示すブロック図である。
【図１６】本発明の実施形態による中央制御装置を示すブロック図である。
【発明を実施するための形態】
【００１７】
以下、添付の図面を参照して、本発明の実施形態を詳細に説明する。本発明を説明するにあたって、詳細構成及びコンポーネントなどの具体的な内容は、本発明の該当実施形態の全般的な理解を助けるために提供される。従って、本発明の範囲及び趣旨を逸脱することなく、ここで説明する実施形態の様々な変更及び修正が可能であることは、当該技術分野における通常の知識を有する者には明らかである。また、明瞭性と簡潔性の観点から、当業者に良く知られている機能や構成に関する具体的な説明は省略する。
【００１８】
以下、本発明の多様な実施形態を直交周波数分割多重化（Orthogonal Frequency Division Multiplexing、ＯＦＤＭ）無線通信システム、特に、第３世代パートーナーシッププロジェクト（３ＧＰＰ）次世代ユニバーサル地上波無線アクセス（Evolved Universal Terrestrial Radio Access、ＥＵＴＲＡ）標準を参照して詳細に説明するが、本発明の範囲及び趣旨を逸脱することなく、わずかな変形で類似した技術的な背景及びチャネル構成を有する他の通信システムにも適用可能であるということは、当該技術分野における通常の知識を有する者には明らかである。
【００１９】
ＯＦＤＭＡ（Orthogonal Frequency  Division  Multiple Access）方式は、ＣＤＭＡ（Code Division Multiple Access）方式と比較する場合、より高度なシステムキャパシティを持つ。ＯＦＤＭＡ方式がキャパシティを向上させる一つの理由は、ＯＦＤＭＡ方式は周波数ドメインでスケジューリング、すなわち周波数ドメインスケジューリング（Frequency Domain Scheduling）を実行することができるというものである。したがって、２世代及び３世代移動通信システムで使用される多重接続方式であるＣＤＭＡを次世代システムのＯＦＤＭＡに置き換えようとする研究が活発に進んでいる。例えば、３ＧＰＰ及び３ＧＰＰ２は、ＯＦＤＭＡを使用し、より進化したシステムの標準化研究を始めた。
【００２０】
図１は、送信／受信アンテナが各セルの中央に配置された既存のセルラー移動通信システムを示した図である。複数のセルで形成されたセルラー移動通信システムにおいて、ＵＥには、半静的（semi-static）期間の間に選択されたセルから、上述した多様な技術を用いて移動通信サービスが提供される。
【００２１】
図１を参照すると、セルラー移動通信システムは、３個のセル１００、１１０、及び１２０を含む。セル１００は、セル１００内に位置するＵＥ１０１及びＵＥ１０２に移動通信サービスを提供する。セル１１０は、ＵＥ１１１に移動通信サービスを提供し、セル１２０は、ＵＥ１２１に移動通信サービスを提供する。
【００２２】
図１に示したように、ＵＥ１０２はＵＥ１０１よりもセル１００のアンテナ１３０からより遠く離れている。結果的に、ＵＥ１０２はセル１２０の中央アンテナによって引起こされた干渉を経験し、セル１００がサポートするデータ送信速度が相対的に低くなる。
【００２３】
セル１００、１１０、及び１２０は、ＵＥ１０１、１０２、１１１及び１２１がそれぞれのセルに対するダウンリンクチャネル状態を測定するように、チャネル推定のためにＲＳを送信する。特に、３ＧＰＰ ＬＴＥ−Ａシステムで、ＵＥ１０１、１０２、１１１、及び１２１は、自身と複数のノードＢ（またはｅＮＢ（enhanced-ノードＢ））間のチャネル状態を、セル１００、１１０及び１２０のノードＢにより送信されたＣＳＩ−ＲＳを用いて測定する。ＣＳＩ−ＲＳは、ノードＢによる送信に使用されるリソース空間の予め定められた位置にマッチングされ、その位置はＵＥ１０１、１０２、１１１、及び１２１に通知される。
図２は、ＬＴＥ−ＡシステムにおけるノードＢがＵＥに送信する既存のＣＳＩ−ＲＳの位置を示す図である。
【００２４】
図２を参照すると、予め定められたサイズのリソース空間で、ＲＳは予め定められたパターンによって定められた時間及び周波数ユニットに配置される。リソースユニット２００乃至２１９は、少なくとも一つのＯＦＤＭシンボル及び少なくとも一つのサブキャリアを含み、各位置でＣＳＩ−ＲＳアンテナポートに対して２個の信号を送信することができる。例えば、ノードＢは、位置２００でダウンリンク測定のために２個のＣＳＩ−ＲＳをＵＥに送信する。複数のセルで形成されたセルラー移動通信システムでは、ＣＳＩ−ＲＳは相異なるセルに対して相異なる位置に割り当てられる。
【００２５】
例えば、図１において、セル１００は、位置２００にＣＳＩ−ＲＳを送信し、セル１１０は、位置２０５にＣＳＩ−ＲＳを送信し、セル１２０は、位置２１０にＣＳＩ−ＲＳを送信する。したがって、各々相異なるセルに対して相異なる位置にＣＳＩ−ＲＳ送信のための時間及び周波数リソースを割り当てて、相異なるセルのＣＳＩ−ＲＳは相互に干渉しない。
【００２６】
ＵＥは、ＣＳＩ−ＲＳを用いてダウンリンクチャネルを推定し、推定されたチャネルに対するチャネル情報としてフィードバック情報、例えばＲＩ（Rank Indicator）、ＣＱＩ（Channel Quality Indicator）、ＰＭＩ（Precoding Matrix Indicator）などを生成し、ＢＳへのフィードバックを実行する。ＵＥはＰＵＣＣＨ（Physical Uplink Control Channel）を介して周期的フィードバックを実行することができ、周期的フィードバックは、次の４つのフィードバックモードのうち一つで実行される。
１.モード１−０：ＲＩ、ｗＣＱＩ（広帯域ＣＱＩ）
２.モード１−１：ＲＩ、ｗＣＱＩ、ｗＰＭＩ（広帯域ＰＭＩ）
３.モード２−０：ＲＩ、ｗＣＱＩ、ｓＣＱＩ（サブ帯域ＣＱＩ）
４.モード２−０：ＲＩ、ｗＣＱＩ、ｗＰＭＩ、ｓＣＱＩ、ｓＰＭＩ
【００２７】
４つのフィードバックモードに関する個別情報のフィードバックタイミングは、パラメータ（Ｎｐｄ、ＮＯＦＦＳＥＴ，ＣＱＩ、ＭＲＩ、ＮＯＦＦＳＥＴ，ＲＩなど）により判定され、上位階層信号を通じてフォワーディングされる。フィードバックモード１−０において、ｗＣＱＩの送信期間は、Ｎｐｄサブフレームであり、そのフィードバックタイミングは、ＮＯＦＦＳＥＴ，ＣＱＩのサブフレームオフセットにより判定される。ＲＩの送信期間は、Ｎｐｄ×ＭＲＩであり、ＲＩのフィードバックタイミングを判定するサブフレームオフセットは、ＮＯＦＦＳＥＴ，ＣＱＩ＋ＮＯＦＦＳＥＴ，ＲＩにより判定される。
図３は、ＬＴＥ−Ａシステムのモード１−０又は１−１で、ＵＥの既存フィードバックタイミングの一例を示す図である。
【００２８】
図３を参照すると、Ｎｐｄ＝２、ＭＲＩ＝２、ＮＯＦＦＳＥＴ，ＣＱＩ＝１、及びＮＯＦＦＳＥＴ，ＲＩ＝−１に対するＲＩ及びｗＣＱＩのフィードバックタイミングが示されている。ここで、各タイミングは、サブフレームインデックスにより指示される。すなわち、ＲＩはサブフレーム０、４、８、・・・で送信され、ｗＣＱＩはサブフレーム１、３、５、７、・・・で送信され、モード１−１はモード１−０などのようなフィードバックタイミングを有するが、フィードバックモード１−０とは異なり、ｗＣＱＩの送信タイミングにＰＭＩも送信される。
【００２９】
フィードバックモード２−０において、ｓＣＱＩのフィードバック間隔はＮｐｄであり、そのオフセットはＮＯＦＦＳＥＴ，ＣＱＩである。ｗＣＱＩフィードバック間隔はＨ×Ｎｐｄであり、そのオフセットはｓＣＱＩのオフセットと同一のＮＯＦＦＳＥＴ、ＣＱＩである。ここで、Ｈ＝Ｊ×Ｋ＋１であり、Ｋは、上位階層シグナリングを通じて伝えられる値であり、Ｊは、システム帯域幅により判定される値である。例えば、１０ＭＨｚシステムに対するＪの値は３である。最後に、ｗＣＱＩはｓＣＱＩの代わりにｓＣＱＩのＨ送信ごとに一回ずつ送信される。ＲＩの期間は、ＭＲＩ×Ｈ×Ｎｐｄであり、そのオフセットはＮＯＦＦＳＥＴ，ＣＱＩ＋ＮＯＦＦＳＥＴ，ＲＩである。
図４は、モード２−０又は２−１で、ＵＥの既存フィードバックタイミングの例を示す図である。
【００３０】
図４を参照すると、Ｎｐｄ＝２、ＭＲＩ＝２、Ｊ＝３（１０ＭＨｚ）、Ｋ＝１、ＮＯＦＦＳＥＴ，ＣＱＩ＝１、及びＮＯＦＦＳＥＴ，ＲＩ＝−１に対するＲＩ、ｓＣＱＩ、及びｗＣＱＩのフィードバックタイミングが示されている。この例で、ＲＩはサブフレーム０、１６、・・・で送信され、ｓＣＱＩはサブフレーム３、５、７、１１・・・で送信され、ｗＣＱＩ（ＰＭＩと共に）はサブフレーム１、９、１７、・・・で送信される。フィードバックモード２−１は、モード２−０と同一のフィードバックタイミングを有し、ＰＭＩもｗＣＱＩの送信タイミングに送信される。
上述したフィードバックタイミングは、４本未満のＣＳＩ−ＲＳアンテナポートと関連する。
【００３１】
８本のＣＳＩ−ＲＳアンテナポートが使用される場合、ＰＭＩの２個のタイプがフィードバックされる。８本のＣＳＩ−ＲＳアンテナポートに対して、モード１−１は２個のサブモードに分けられる。第１のサブモードで、第１のＰＭＩはＲＩと共に送信され、第２のＰＭＩはｗＣＱＩと共に送信される。ここで、ｗＣＱＩ及び第２のＰＭＩのフィードバック間隔及びオフセットは、Ｎｐｄ及びＮＯＦＦＳＥＴ，ＣＱＩとして定義され、ＲＩ及び第１のＰＭＩのフィードバック間隔及びオフセットは、ＭＲＩ×Ｎｐｄ及びＮＯＦＦＳＥＴ，ＣＱＩ＋ＮＯＦＦＳＥＴ，ＲＩとして定義される。一方、第２のサブモードで、ＲＩは個別的に送信され、第１のＰＭＩは、第２のＰＭＩ及びｗＣＱＩと共に送信される。ここで、ｗＣＱＩ、第１のＰＭＩ、及び第２のＰＭＩのフィードバック間隔及びオフセットは、Ｎｐｄ及びＮＯＦＦＳＥＴ，ＣＱＩとして定義され、ＲＩのフィードバック間隔及びオフセットは、ＭＲＩ×Ｎｐｄ及びＮＯＦＦＳＥＴ，ＣＱＩ＋ＮＯＦＦＳＥＴ，ＲＩとして定義される。
【００３２】
８本のＣＳＩ−ＲＳアンテナポートに対するモード２−１は、ＲＩが共にフィードバックされるＰＴＩ（Precoding Type Indicator）をさらに含み、ＰＴＩのフィードバック間隔は、ＭＲＩ×Ｈ×Ｎｐｄとして定義され、そのオフセットはＮＯＦＦＳＥＴ，ＣＱＩ＋ＮＯＦＦＳＥＴ，ＲＩとして定義される。
【００３３】
ＰＴＩ＝０で、第１のＰＭＩ、第２のＰＭＩ、及びｗＣＱＩがフィードバックされ、ｗＣＱＩ及び第２のＰＭＩは同一のタイミングに共に送信される。ｗＣＱＩ及び第２のＰＭＩのフィードバック間隔はＮｐｄであり、そのオフセットはＮＯＦＦＳＥＴ，ＣＱＩである。第１のＰＭＩのフィードバック間隔はＨ’×Ｎｐｄであり、そのオフセットはＮＯＦＦＳＥＴ，ＣＱＩである。ここで、Ｈ’は上位階層シグナリングを通じて伝えられる。
【００３４】
ＰＴＩ＝１で、ＰＴＩ及びＲＩが共に送信され、ｗＣＱＩ及び第２のＰＭＩが共に送信され、ｓＣＱＩがさらにフィードバックされる。第１のＰＭＩは送信されない。ＰＴＩ及びＲＩのフィードバック間隔及びオフセットは、ＰＴＩ＝０の場合と同一である。ｓＣＱＩのフィードバック間隔はＮｐｄであり、そのオフセットはＮＯＦＦＳＥＴ，ＣＱＩである。ｗＣＱＩ及び第２のＰＭＩは、Ｈ×Ｎｐｄの期間及びＮＯＦＦＳＥＴ，ＣＱＩのオフセットでフィードバックされる。ここで、ＨはＣＳＩ−ＲＳアンテナポートの数が４である場合と同一に定義される。
【００３５】
図５及び図６は、Ｎｐｄ＝２、ＭＲＩ＝２、Ｊ＝３（１０ＭＨｚ）、Ｋ＝１、Ｈ’＝３、ＮＯＦＦＳＥＴ，ＣＱＩ＝１、及びＮＯＦＦＳＥＴ，ＲＩ＝−１である場合、モード２−０又は２−１で、ＵＥの既存フィードバックタイミングの例を示す。具体的に、ＰＴＩ＝０及びＰＴＩ＝１に対するフィードバックタイミングが例示されている。
【００３６】
図５を参照すると、ＲＩ及びＰＴＩはサブフレーム０、１６、・・・で送信され、第１のＰＭＩはサブフレーム１、７、１３、・・・で送信され、第２のＰＭＩ及びｗＣＱＩはサブフレーム３、５、９、１１、・・・で送信される。
【００３７】
図６を参照すると、ＲＩ及びＰＴＩはサブフレーム０、１６、・・・で送信され、第２のＰＭＩ及びｗＣＱＩはサブフレーム１、９、１７、・・・で送信され、第２のＰＭＩ及びｓＣＱＩはサブフレーム３、５、７、１１、・・・で送信される。
【００３８】
ＣＳＩ−ＲＳを通じて推定されたダウンリンクチャネル情報は、ＰＵＳＣＨ（Physical Uplink Shared Channel）を通る非周期的フィードバックを通じてノードＢからＵＥに送信されることができる。ノードＢが特定ＵＥの非周期的フィードバック情報を獲得しようとする場合、ノードＢは、非周期的フィードバックを指示するように、ＵＥのＵＬ（UpLink）データスケジューリングのためにＤＣＩ（Downlink Control Information）に含まれる非周期的フィードバック指示子を設定し、設定された非周期的フィードバック指示子をＵＥに送信することができる。ＵＥは、サブフレーム＃ｎから非周期的フィードバック指示子を受信する場合、サブフレーム＃（ｎ＋ｋ）でＵＬデータ送信に非周期的フィードバック情報を含める。ここで、ｋはＦＤＤ（Frequency Division Duplexing）で予め定められたパラメータ、例えば４であり、下記の表１に示したようにＴＤＤ（Time Division Duplexing）でサブフレーム番号ｎに従って定義される。
【００３９】
【表１】
2015502686.tif 000003
【００４０】
表１で、ＴＤＤ ＵＬ／ＤＬ構成は、ＴＤＤフレームでＵＬサブフレーム及びＤＬサブフレームの位置を指定する。例えば、ＴＤＤ ＵＬ／ＤＬ構成＃０は、サブフレーム２、３、４、７、及び８がＵＬサブフレームであることを示す。
【００４１】
非周期的フィードバック指示子は、ＵＬ ＤＣＩフォーマット０又はＤＣＩフォーマット４に含まれ、１ビットまたは２ビットとして定義され得る。１ビットの非周期的フィードバック指示子で、それがＯＮに設定されている場合、ＵＥはＰＵＳＣＨ非周期的フィードバックを通じてノードＢに“サービングセルｃ”に対するチャネル情報をフォワーディングする。ここで、“サービングセルｃ”は、ＣＡ（Carrier Aggregation）状態でＤＣＩが送信される少なくとも一つのＤＬ ＣＣ（Component Carrier）を示す。アグリゲーションレベルによって、１個以上のサブキャリアがＤＣＩ送信のためのリソース空間として割り当てられる。ＵＥは、ＤＣＩを検出するために、ＤＣＩが送信されるリソース空間として定義された検索空間をモニターリングする。
しかし、２ビットの非周期的フィードバック指示子で、ＵＥは表２に定義された非周期的フィードバックを実行することができる。
【００４２】
【表２】
2015502686.tif 000004
【００４３】
表２で、“サービングセルｃ”とは、ＵＬスケジューリングのためにＤＣＩに含まれたＣＩＦ（Carrier Indication Field）により指示されたＵＬ ＣＣにリンクされたＤＬ ＣＣを意味する。ＵＥは‘０１’に設定された非周期的フィードバック指示子を受信する場合、ＣＩＦにより指示されたＵＬ ＣＣでＵＬ ＣＣにリンクされたＤＬ ＣＣのフィードバック情報を送信する。
【００４４】
ＵＥが‘１０’または‘１１’に設定された非周期的フィードバック指示子を受信する場合、ＣＩＦにより指示されたＵＬ ＣＣで、上位階層により設定されたＤＬ ＣＣに対するフィードバック情報を送信する。ＣＳＩ報告はＣＳＩプロセスまたは一つ以上のフィードバック割り当てのフィードバック報告である。
【００４５】
非周期的フィードバックが設定される場合、ＣＣごとのフィードバック情報は、周期的フィードバックのようにＲＩ、ＰＭＩ、及びＣＱＩを含み、フィードバック構成によっては、ＲＩ及びＰＭＩがオプションとしてフィードバックされ得る。ＣＱＩは、ｗＣＱＩとｓＣＱＩの両方を含むか、ｗＣＱＩのみを含むことができる。
【００４６】
上述したように、セルラー移動通信システムで、セル端に位置されたＵＥは、頻繁に他のセルからの干渉を経験し、これによって高いデータレートサポートに一部限界がある。
【００４７】
より具体的には、セル内のＵＥに提供される高いデータレートは、セル内のＵＥの位置により大きく影響を受ける。したがって、既存のセルラー移動通信システムでは、セルの中心から遠くに位置するＵＥよりもセルの中心の近くに位置するＵＥに高いデータレートが提供されることがある。ＵＥが半静的に判定されたセルのみからサービスを受ける既存のシステムと比較すると、ＣｏＭＰシステムはより発展したシステムである。ＣｏＭＰシステムは、セル端に位置されたＵＥをサポートするように複数のセル間の協調を通じてデータを送信することによって、一層強化した移動通信サービスを提供する。
【００４８】
ＣｏＭＰシステムで、セル端に位置するＵＥは、データを受信するセルを動的に判定することができる。干渉が大きいと判定された複数のセルが隣接セルの端に位置するＵＥをサポートするためにそれらのパワーをターンオフすることができる。また、複数のセルがセルの端に位置するＵＥに情報を同時に送信して、ＵＥの情報受信レートを向上させることができる。その結果、セルラー移動通信システムのすべてのＵＥは、各セル内の位置に関係無く同等に高いデータレートを獲得することができる。
【００４９】
次に説明する本発明の実施形態は、ＣｏＭＰシステムで、ＤＳ（Dynamic cell Selection）方式、ＤＳ／ＤＢ（DS with Dynamic Blanking）方式、及びＪＴ（Joint Transmission）方式を考慮してフィードバックを提供する。
【００５０】
ＤＳ方式で、ＵＥがセルごとのチャネル状態を測定し、セルごとのチャネル状態に対するフィードバックをノードＢにフォワーディングする場合、ノードＢはＤＬデータをＵＥに送信するためのセルを動的に選択してデータをＵＥに送信する。
ＤＳ／ＤＢ方式で、他のセルに影響を与える干渉を減らすために、特定セルは自身のデータ送信を実行しない。
ＪＴ方式で、複数のセルが特定ＵＥにデータを同時に送信する。
図７は、本発明の実施形態によるセルラー移動通信システムを示す。
【００５１】
図７を参照すると、セルラー移動通信システムは、３個のセル７００、７１０、及び７２０を含む。ここで、“セル”は、特定送信地点（例えば、ノードＢ）によりサービスされることができるデータ送信空間を意味し、各送信地点は、マクロ空間でマクロノードＢと共通であるセル識別子（ＩＤ）を有するＲＲＨ（Remote Radio Head）、又は他の固有セルＩＤを有するマクロまたはピコセルであり得る。
【００５２】
ここで、各送信地点がマクロノードＢと共通でセルＩＤを有するＲＲＨである場合、マクロノードＢは中央制御装置とも称する。各送信地点が相異なるセルＩＤを有するマクロまたはピコセルである場合に、各セルを統合管理する装置を中央制御装置とも称する。基本的に、中央制御装置はＵＥとデータを送受信し、送受信されたデータを処理する。
【００５３】
図７を参照すると、ＵＥ７０１、７１１、及び７２１は、それぞれの最近接セルからデータを受信し、ＵＥ７０２は、セル７００、７１０、及び７２０からＣｏＭＰ送信を受信する。ノードＢまたは別個のエンティティーを含む中央制御装置７３０は、セル７００、７１０、及び７２０に対するスケジューリング及びリソース割り当てを管理する。
【００５４】
それぞれの最近接セルからデータを受信する非（ｎｏｎ）−ＣｏＭＰ ＵＥ７０１、７１１、及び７２１は、ＵＥ７０１、７１１、及び７２１が位置するセルに対するＣＳＩ−ＲＳからチャネルを各々推定し、対応するセル７００、７１０、及び７２０を通じて中央制御装置７３０にＣＳＩフィードバックを送信する。
【００５５】
３個のセル７００、７１０、及び７２０からＣｏＭＰ方式を用いてデータを受信するＵＥ７０２は、セル７００、７１０、及び７２０からチャネルを推定する。したがって、ＵＥ７０２により実行されるチャネル推定で、中央制御装置７３０は、ＣｏＭＰ送信に参加した３個のセル７００、７１０及び７２０に対応してＵＥ７２０に３個のＣＳＩ−ＲＳリソースを割り当てる。
図８は、本発明の実施形態によって、ノードＢがＵＥに送信するＣＳＩ−ＲＳの位置を示す。
【００５６】
図８を参照すると、中央制御装置７３０は、ＣｏＭＰ送信を受信するＵＥ７０２が３個のセル７００、７１０、及び７２０からチャネルを推定できるように３個のリソースユニット８０１、８０２、及び８０３に３個のＣＳＩ−ＲＳ信号を割り当て、割り当てられたリソースユニット８０１、８０２、及び８０３を用いてＣＳＩ−ＲＳを送信する。
【００５７】
より具体的に、セル７００のチャネル推定のためのＣＳＩ−ＲＳがリソースユニット８０１に割り当てられ、セル７１０のチャネル推定のためのＣＳＩ−ＲＳがリソースユニット８０２に割り当てられ、セル７２０のチャネル推定のためのＣＳＩ−ＲＳがリソースユニット８０３に割り当てられる。ＣｏＭＰ ＵＥのチャネル推定のために送信される少なくとも一つのＣＳＩ−ＲＳに対するリソースユニットのセットまたはＣＳＩ−ＲＳリソースに対応するセルのセットを測定セットと称する。
または、中央制御装置７３０は、ＵＥ７０２に対する干渉を測定するために追加リソースを割り当てることができる。
【００５８】
ＵＥが受信可能な時間当りデータ量は、信号強度だけでなく干渉のサイズにより影響を受ける。したがって、中央制御装置７３０は、より正確な干渉測定のために、ＵＥ７０２が別途に干渉を測定することができるＩＭＲ（Interference Measurement Resources）を割り当てることができる。例えば、中央制御装置７３０は、測定セットですべてのＣＳＩ−ＲＳに対して単一構成要素に共通に適用される干渉の量をＵＥが測定できるように一つのＵＥに単一ＩＭＲを割り当てるか、ＵＥが多様な干渉状態を測定できるように一つのＵＥに複数のＩＭＲを割り当てる。
【００５９】
図８を参照すると、ＵＥ７０２は、３個の割り当てられたＣＳＩ−ＲＳリソースユニット８０１、８０２、８０３を用いて３個のセル７００、７１０、及び７２０からの信号を測定し、割り当てられたＩＭＲ８１０を通じて３個のセル７００、７１０、及び７２０から信号を受信する場合に発生される干渉を測定する。中央制御装置７３０は、ＵＥ７０２に対する干渉をＩＭＲ８１０によく反映するように、ＩＭＲ８１０で隣接セルの信号送信を制御する。
【００６０】
以下は、ＵＥがＩＭＲの割り当てを受けない場合、ノードＢ（または中央制御装置）により生成される一つ以上のフィードバック割り当てを指示するＵＥによる動作、及び指示されたフィードバックを生成及び送信するＵＥによる動作を説明する。
【００６１】
ＤＬ ＣｏＭＰのサポートは、多様なＣｏＭＰ方式に対して新たなＣＳＩフィードバックを導入する。既存のＣＳＩフィードバックは、チャネル測定及びＣＳＩフィードバック報告に対して一つのＴＰ及び一つのＣＳＩ参照信号のみを考慮するので、既存のＣＳＩフィードバックを用いて、複数のＣＳＩ参照信号を使用する複数のＴＰからＣｏＭＰ方式をサポートすることは不可能である。したがって、複数のＴＰに対する追加的なＣＳＩフィードバック（または対応するＣＳＩ−ＲＳに対するＣＳＩフィードバック）がＤＬ ＣｏＭＰ方式をサポートするために必要である。
【００６２】
ＣｏＭＰ方式に対するフィードバックは、複数のＴＰに対する複数のＣＳＩ報告、ＤＳ／ＤＢのための追加的なフィードバック、及びＪＴのための追加的なフィードバックとしてカテゴリー化され得る。
【００６３】
複数のＴＰに対する複数のＣＳＩ報告で、ノードＢはＣＳＩ報告のためにＵＥに複数のＣＳＩ−ＲＳ構成を構成し、各ＣＳＩ−ＲＳ構成は特定ＴＰに対応する。一つのＣＳＩ−ＲＳ構成が複数のＴＰに対応する場合もある。ＣＳＩ報告のための複数のＣＳＩ−ＲＳ構成（または対応するＴＰ）のセットがフィードバックセット（または測定セット）として定義される。各ＣＳＩ報告はＴＰに対してＣＳＩ−ＲＳ構成に対応する。
【００６４】
ＤＳ／ＤＢのためのオプションとしてのフィードバックで、一部ＴＰ（例えば、マクロノードＢ）は、他のＴＰに接続したＵＥのダウンリンクデータ受信をサポートするように、ターンオフ（ブランキング）されることができる。少なくとも一つのＵＥは、ブランキングに対してオプションとしてのＣＳＩをフィードバックする。
【００６５】
ＪＴのためのオプションとしてのフィードバックで、複数のＴＰが一つのＵＥに対して同時にデータを送信することができる。ＪＴは複数のＴＰからの共同送信のためにオプションとしてのＣＳＩが必要である。
【００６６】
ＣｏＭＰに対するＣＳＩ報告は、ＰＵＣＣＨでデータ情報とは別個に、またはＰＵＳＣＨでデータ情報と共に送信されることができる。したがって、ＣＳＩ報告が各々ＰＵＳＣＨ及びＰＵＣＣＨを通じてＣｏＭＰのために提供されなければならない。
【００６７】
ＣＳＩ報告は、ＣＳＩフィードバック情報のサイズが増大した場合、ＰＵＳＣＨを通じてＣｏＭＰのために提供されなければならない。すなわち、複数のＣＳＩ報告がＣｏＭＰのために必要であるので、複数のＣＳＩ報告が同時にフィードバックされる場合、フィードバックの量がＰＵＣＣＨでは充分でないことがある。
【００６８】
ＰＵＳＣＨを通じてＣｏＭＰのためのＣＳＩ報告を提供するもう一つの理由は、ＤＳ／ＤＢまたはＪＴのための追加的なフィードバックを含むことである。これらＣｏＭＰ方式は、ＴＰごとのＣＳＩフィードバックと同時にオプションとしてのＣＳＩフィードバックも必要であり、これは特定の干渉を想定した場合や、複数のＴＰからの共同送信のためのＴＰ間情報を含む。
【００６９】
非周期的ＣＳＩ報告がＰＵＳＣＨで複数のＴＰに対して複数のＣＳＩ報告のために送信される。非周期的ＣＳＩ報告は、修正された説明を有する既存のＣＳＩ要請フィールドを再使用するか、ＣｏＭＰに対するフィードバックを含むためにサイズを増大したＣＳＩ要請フィールドを使用することによって構成され得る。修正された説明を有する新たなＣＳＩ要請フィールドは、次の表３に示されている。
【００７０】
【表３】
2015502686.tif 000005
【００７１】
ｅＮＢからＵＥへのＲＲＣ（Radio Resource Control）シグナリングは、新たな（すなわち、アップデートされる）ＣＳＩ要請フィールドがＣｏＭＰフィードバックに使用されるか否かを指示するＣＳＩ−ＲＳ−構成−指示子−プレゼンスフィールドを送信する。新たなＣＳＩ要請フィールドがＣｏＭＰフィードバックに使用されるか否かは、上記ＲＲＣシグナリングされたＣＳＩ−ＲＳ−構成−指示子−プレゼンスフィールド無しで、
（１）非セロパワーＣＳＩ−ＲＳリソースの数がｅＮＢにより構成されることができること、
（２）干渉推定の数がｅＮＢにより構成されることができること、
（３）フィードバック構成の数がｅＮＢにより指示されることができること
に依存する。
【００７２】
一つ以上のＣＳＩ−ＲＳ構成が構成される場合、ＲＲＣシグナリングは、どのＣＳＩ−ＲＳ構成に対して非周期的ＣＳＩ報告がトリガーされるかを示すオプションとしての非周期的−ＣＳＩ−ＲＳ−構成−トリガーフィールドを送信することができる。このフィールドは、各サービングセル（またはＣＣ）ごとに定義される。
【００７３】
ＲＲＣシグナリングからの２個の相異なるセットがＣＡ及びＣｏＭＰのために参照される。一つのセットは、ＣＡのためのものであり、各ＣＣはサービングセルと称する。例えば、上位階層により構成されたサービングセルの第１のセットに対して非周期的ＣＳＩ報告がトリガーされる。他のセットは、ＣｏＭＰのためのものである。ＣｏＭＰのためのＴＰごとのＣＳＩフィードバック報告は、ＣｏＭＰ測定セットのＣＳＩ−ＲＳ構成のセットに対応する。例えば、上位階層により構成されたＣＳＩ−ＲＳ構成の１セットに対して（ＣｏＭＰ測定セット内で）非周期的ＣＳＩ報告がトリガーされる。次の例では、“ＣｏＭＰ測定”の説明を簡潔化のために省略する。
【００７４】
以下の表４乃至表７は、既存のＣＳＩ要請フィールドが１ビットであり、新たなＣＳＩ要請フィールドが１ビットである場合、新たなＣＳＩ要請フィールドの例の説明を表す。
【００７５】
【表４】
2015502686.tif 000006
【００７６】
【表５】
2015502686.tif 000007
【００７７】
【表６】
2015502686.tif 000008
【００７８】
【表７】
2015502686.tif 000009
【００７９】
表８乃至表１０は、既存のＣＳＩ要請フィールドが１ビットであり、新たなＣＳＩ要請フィールドが２ビットである場合、新たなＣＳＩ要請フィールドの説明を表す。
【００８０】
【表８】
2015502686.tif 000010
【００８１】
【表９】
2015502686.tif 000011
【００８２】
【表１０】
2015502686.tif 000012
【００８３】
表１１乃至表１２は、既存のＣＳＩ要請フィールドが２ビットであり、新たなＣＳＩ要請フィールドが２ビットである場合、新たなＣＳＩ要請フィールドの説明を表す。
【００８４】
【表１１】
2015502686.tif 000013
【００８５】
【表１２】
2015502686.tif 000014
【００８６】
表１３乃至表１４は、既存のＣＳＩ要請フィールドが２ビットであり、新たなＣＳＩ要請フィールドが３ビットである場合、新たなＣＳＩ要請フィールドの説明を表す。
【００８７】
【表１３】
2015502686.tif 000015
【００８８】
【表１４】
2015502686.tif 000016
【００８９】
以下、ＵＥが複数のセルに対して測定セットの割り当てを受けるか、複数のＩＭＲの割り当てを受ける場合、一つ以上のフィードバックがＵＥにより生成されることをＵＥに指示するノードＢ（または中央制御装置）による動作、及び指示されたフィードバック（ら）を生成及び送信するＵＥによる動作を説明する。
【００９０】
ＵＥが複数のセルに対する測定セット及び一つ以上のＩＭＲの割り当てを受ける場合、ノードＢは有効な信号と干渉の組合せに対してＵＥに複数のフィードバック送信を割り当て、ＵＥはノードＢの割り当てに基づいて、フィードバック情報を生成し、予め定められたフィードバック送信タイミングにフィードバック情報をノードＢにフォワーディングする。
【００９１】
例えば、ＵＥに割り当てられた測定セットは｛ＣＳＩ−ＲＳ−１、ＣＳＩ−ＲＳ−２｝であり、ここで、ＣＳＩ−ＲＳ−１及びＣＳＩ−ＲＳ−２は、Ｃｅｌｌ−１及びＣｅｌｌ−２から各々送信されたＣＳＩ−ＲＳ信号を指示する。ＵＥはノードＢから一つのＩＭＲの割り当てを受け、ＩＭＲは測定セットを除いてセルの干渉を反映するように構成される。表１５に示したように、ノードＢが最大４個の可能な信号及び干渉ケースに対するフィードバックをＵＥに割り当てることができ、ＵＥは割り当てられるフィードバックを生成及び送信することができる。
【００９２】
【表１５】
2015502686.tif 000017
【００９３】
表１５において、測定セットでＣＳＩ−ＲＳから測定されたチャネルは干渉を含むことができる。表１５で、ＩＭＲ＋セル−２は、ＩＭＲで測定された干渉及びセル−２に対応するＣＳＩ−ＲＳ−２で測定された干渉の和をケース１に対応する総干渉として認識することを示す。すなわち、表１５で、ケース１は、所望の信号がセル−１から受信され、セル−２及びＩＭＲで反映された測定セットを除いてセルから干渉が受信される状況である。
【００９４】
ケース２は、所望の信号がセル１から受信され、セル−２から信号が受信されず、ＩＭＲで反映された測定セットを除外したセルのみで干渉が受信される状況である。ケース２で、セル−２は信号が送信されないブランキング状態にある。
【００９５】
同様に、ケース３及びケース４は、セル−１がブランキング状態ではない状況及びセル−１がブランキング状態にある状況を各々意味すると共に、両状況で、セル−２から信号が受信される。
【００９６】
表１５に示したすべての可能な状況に対して、ＵＥがフィードバックを実行する場合に、大量なフィードバックオーバーヘッド及びＵＥ複雑度を必要とする。したがって、ノードＢは、ＵＥが生成可能なフィードバックのうちで、いずれかのフィードバックを指示するＲＲＣ信号をＵＥにフォワーディングし、次にＵＥがＲＲＣ信号に応答して対応するフィードバック（ＦＢ）のみを送信する。
【００９７】
例えば、表１５に示した可能なケースの中、ケース１及びケース３のみが有効であると判定される場合、ノードＢは有効な信号及び干渉の組合せをＵＥに指示するＲＲＣ情報を送信する。
−ＦＢ１：信号成分（ＣＳＩ−ＲＳ−１）、干渉成分（ＩＭＲ＋ＣＳＩ−ＲＳ−２）
−ＦＢ２：信号成分（ＣＳＩ−ＲＳ−２）、干渉成分（ＩＭＲ＋ＣＳＩ−ＲＳ−１）
【００９８】
有効な信号及び干渉の組合せをＵＥに指示するＲＲＣ情報が別途に周期的フィードバック及び非周期的フィードバックのために生成されることがある。すなわち、周期的フィードバックに対する有効な信号及び干渉の組合せが表１５でケース１及びケース３に対応する反面、非周期的フィードバックに対する有効な信号及び干渉の組合せは、ケース１、ケース２、ケース３、及びケース４に対応し、これは、非周期的フィードバックが周期的フィードバックよりも大量のフィードバック情報を含むことができ、２個のフィードバックタイプがノードＢの具現によって多様な方法で使用されることができるためである。
【００９９】
有効な信号及び干渉の組合せを指示するＲＲＣ情報の一例は、一つのＩＭＲの測定値と測定セットの可能なＣＳＩ−ＲＳの測定値を加算することによって、ＵＥが生成可能な干渉情報を含む。
【０１００】
また、ＲＲＣ情報は、他の多様な方法で生成することができる。例えば、ノードＢは複数のＩＭＲをＵＥに割り当てることができ、ＩＭＲに対して測定された干渉に基づいて、フィードバックの多様な干渉状況を反映する。さらに他の例で、複数のＩＭＲを測定セットと組み合わせることにより、多様な干渉状況がフィードバックに反映されることができる。
【０１０１】
有効な信号及び干渉の組合せを指示するＲＲＣ情報は、対応する組合せの状態に対するフィードバックがどのフィードバック情報を含むかに対する情報をさらに含むことができる。すなわち、ＲＲＣ情報を通じて、ノードＢは、有効な信号及び干渉の組合せを指示するＲＲＣ情報に対応するフィードバックがＲＩ、ＰＭＩ、ｗＣＱＩ、及びｓＣＱＩのうちどのチャネル情報を含むかをＵＥに通知することができる。フィードバックがどのチャネル情報を含むかに対する情報が周期的フィードバック及び非周期的フィードバックのために別個に構成されることができる。周期的フィードバックに対応するフィードバック構成に対するＲＲＣ情報は、各フィードバックごとに使用される実行タイミング及びリソース情報をさらに含むことができる。
【０１０２】
どのチャネル情報がフィードバックのために含まれるかに関する情報及び有効な信号及び干渉の組合せを受信すると、ＵＥは別途のスケジューリング無しで所定のタイミングに割り当てられたリソースを使用して周期的フィードバックを実行する。
【０１０３】
非周期的フィードバックに対して、サブフレーム＃ｎで非周期的フィードバックを実行するように設定された指示子を受信する場合、ＵＥはサブフレーム＃（ｎ＋ｋ）のデータ送信に非周期的フィードバック情報を含む。ここで、ｋはＦＤＤで４であり、ＴＤＤで表１に示したように定義できる。すなわち、ノードＢが特定ＵＥの非周期的フィードバック情報を獲得しようとする場合、ノードＢは、非周期的フィードバックを指示するように、ＵＥのＵＬデータスケジューリングのためにＤＣＩに含まれた非周期的フィードバック指示子を設定し、ＵＥのＵＬデータスケジューリングを実行する。その後、ＵＥはノードＢにより設定された非周期的フィードバック指示子に対応するフィードバック動作、すなわち非周期的フィードバック動作を実行する。
【０１０４】
ＣｏＭＰを考慮したシステムで、非周期的フィードバック指示子は、ＵＬ ＤＣＩフォーマット０及びＤＣＩフォーマット４に含まれ、ＤＣＩごとに１ビットまたは２ビットとして定義される。
【０１０５】
ノードＢは、ＣｏＭＰ動作ＵＥに一つ以上の周期的フィードバックを割り当てるか、及び／または例えばＲＲＣ情報を通じてＤＣＩ送信のために一つ以上のＣＣを割り当てる。ノードＢはまた、ＤＣＩを通じて１ビットまたは２ビットとして定義された非周期的フィードバック指示子を送信する。この場合、非周期的フィードバック指示子のビット数は、割り当てられた非周期的フィードバックの数及び／または割り当てられたＣＣの数、及びＵＥに対するＤＣＩが共用検索空間またはＵＥ特定検索空間のどちらで送信されるかに基づいて判定される。ノードＢは後述するとおり、表１６乃至表２７のいずれか一つによって非周期的フィードバック指示子の値を設定する。
【０１０６】
以下、ＣＡ及びＣｏＭＰが同時に使用されない場合に、１ビットまたは２ビットの非周期的フィードバック指示子を定義する動作に対して説明する。ＣＡが使用されずＣｏＭＰのみで設定されるＵＥで、非周期的フィードバック指示子のビット数は、ＣｏＭＰのためにＵＥに割り当てられた一つ以上のフィードバック割り当ての数及びＵＬスケジューリングのためのＤＣＩが送信される制御チャネルのタイプによって判定される。ここで、ＣｏＭＰのためにＵＥに割り当てられた一つ以上のフィードバック割り当ての数は、ＣｏＭＰのための有効な信号及び干渉の組合せに対してＲＲＣ情報に含まれた非周期的フィードバックのための信号及び干渉の組合せの数に対応する。
図９は、本発明の実施形態によって、ＣｏＭＰのみの状態で非周期的フィードバック指示子のビット数を判定する方法を示すフローチャートである。
【０１０７】
図９を参照すると、ＵＥは、ステップ９０２でＲＲＣシグナリングを経てノードＢにより割り当てられたフィードバック割り当ての数をチェックし、フィードバック割り当ての数が１であるか否か、すなわち、ステップ９０４で単一フィードバックが割り当てられるか否かを判定する。単一フィードバック割り当ての場合、ＵＥはステップ９０６で非周期的フィードバック指示子を１ビットと認識し、ＤＣＩの特定位置に配置された１ビットの非周期的フィードバック指示子を解析する。
【０１０８】
しかし、２個以上のフィードバック割り当てが受信される場合、すなわち複数のフィードバックの割り当てに対して、ステップ９０８でＵＬスケジューリングのためのチャネルＤＣＩが送信される場合を考慮して、ＵＥはＰＤＣＣＨの共通の検索空間とＰＤＣＣＨのＵＥ特定検索空間のどちらにＤＣＩを受信するか判定する。ここで、検索空間は、ＰＤＣＣＨのＤＣＩが送信され得るリソース空間であり、一つ以上のサブキャリア及び一つ以上のシンボルを含むことができる。
【０１０９】
共通の検索空間でＤＣＩを受信する場合、ステップ９１０で、ＵＥは、非周期的フィードバック指示子を１ビットと判定する。一方、ＰＤＣＣＨのＵＥ特定検索空間内でＵＬ ＤＣＩを受信する場合、ステップ９１２で、ＵＥは、非周期的フィードバック指示子を２ビットと判定する。
【０１１０】
非周期的フィードバック指示子が単一ＣＣで構成されたＵＥに対して１ビットで構成される場合、非周期的フィードバック指示子は、次の３つの方法で定義される。
【０１１１】
表１６に示したように、非周期的フィードバック指示子を定義する第１の方法によれば、非周期的フィードバック指示子がサブフレーム＃ｎでＯＦＦ（‘０’）に設定される場合、ＵＥは、非周期的フィードバックを実行しないと判定し、非周期的フィードバック指示子がＯＮ（‘１’）に設定される場合、一つ以上の有効な信号及び干渉の組合せを指示するＲＲＣ情報及びどのフィードバック情報が含まれるかに対する情報に対応するすべての可能なフィードバック割り当てに関する非周期的フィードバックを、ＵＥはサブフレーム＃（ｎ＋ｋ）で同時に送信すると判定する。
【０１１２】
【表１６】
2015502686.tif 000018
【０１１３】
表１７に示したように、１ビット非周期的フィードバック指示子を定義する第２の方法によれば、非周期的フィードバックが“ＯＮ”に設定される場合、ＵＥは可能なフィードバック割り当てのうちで、別個のＲＲＣ信号により設定されるフィードバック割り当てに対して非周期的フィードバックを実行すると判定する。
【０１１４】
【表１７】
2015502686.tif 000019
【０１１５】
１ビット非周期的フィードバック指示子を定義する第３の方法によれば、表１８に示したように、非周期的フィードバックが“ＯＮ”に設定される場合、ＵＥは、可能なフィードバック割り当ての代表として指定される一つのフィードバック割り当てに対してのみ非周期的フィードバックを実行すると判定する。ここで、代表として指定されるフィードバック割り当ては、ＵＥに割り当てられた可能なフィードバック割り当てのうちで、最低インデックスを有するフィードバックまたは最高インデックスを有するフィードバックである。さらに他の例として、代表的なフィードバック割り当ては、予め定められた規則によって指定されるか、予め定められたシグナリング手段を通じてノードＢから与えられる。
【０１１６】
【表１８】
2015502686.tif 000020
【０１１７】
単一ＣＣで構成されたＵＥで、非周期的フィードバック指示子が２ビットで構成される場合、非周期的フィードバック指示子は、次の３つの方法で定義される。
【０１１８】
非周期的フィードバック指示子を定義する第１の方法によれば、表１９に示したように、非周期的フィードバック指示子がサブフレーム＃ｎで‘００’に設定される場合、ＵＥは、非周期的フィードバックを実行しないと判定し、非周期的フィードバック指示子が‘０１’に設定される場合、有効な信号及び干渉の組合せを指示するＲＲＣ情報及びいずれかのフィードバック情報が含まれる情報に対応するすべての可能な非周期的フィードバック割り当てに関する非周期的フィードバックをＵＥがサブフレーム＃（ｎ＋ｋ）で同時に送信することを判定する。非周期的フィードバック指示子が‘１０’または‘１１’に設定される場合、ＵＥは対応する非周期的フィードバック指示子値に対するＲＲＣ情報に基づいて設定される非周期的フィードバック割り当てに対する非周期的フィードバックを実行する。
【０１１９】
【表１９】
2015502686.tif 000021
【０１２０】
表２０に示したように、２ビット非周期的フィードバック指示子を定義する第２の方法によれば、非周期的フィードバック指示子が‘００’に設定される場合、ＵＥは、非周期的フィードバックを実行しないと判定し、非周期的フィードバック指示子が‘０１’、‘１０’、または‘１１’に設定される場合、ＵＥは対応する非周期的フィードバック指示子値に対するＲＲＣ情報に基づいて設定される非周期的フィードバック割り当てに対する非周期的フィードバックを実行する。
【０１２１】
【表２０】
2015502686.tif 000022
【０１２２】
２ビット非周期的フィードバック指示子を定義する第３の方法によれば、表２１に示したように、非周期的フィードバック指示子が‘００’に設定される場合、ＵＥは、非周期的フィードバックを実行しないと判定し、非周期的フィードバック指示子が‘０１’に設定される場合、ＵＥは可能なフィードバック割り当てのうちで代表として指定された一つのフィードバック割り当てに対してのみ非周期的フィードバックを実行する。ここで、代表として指定された単一フィードバック割り当ては、ＵＥに割り当てられた可能なフィードバック割り当てのうちで、最低インデックスを有するフィードバックまたは最高インデックスを有するフィードバックである。また、非周期的フィードバック指示子が‘１０’または‘１１’に設定される場合、ＵＥは対応する非周期的フィードバック指示子値に対するＲＲＣ情報に基づいて設定される非周期的フィードバック割り当てに対して非周期的フィードバックを実行する。
【０１２３】
【表２１】
2015502686.tif 000023
【０１２４】
１ビットまたは２ビット非周期的フィードバック指示子の定義で、１ビット非周期的フィードバック指示子の定義を示す表１６及び２ビット非周期的フィードバック指示子の定義を示す表１９は、非周期的フィードバック指示子が‘１’及び‘０１’に各々設定される場合、‘すべてのフィードバック割り当てに対して非周期的フィードバックがトリガーされる’という定義を有する。表１７及び表２０の非周期的フィードバック指示子値‘１’及び‘０１’は、同一の定義を有し、表１８及び表２１の非周期的フィードバック指示子値‘１’及び‘０１’は、同一の定義を有する。したがって、１ビットに対して表１６を使用する場合、２ビットに対して表１９を使用することが望ましい。同様に、表１７に対して表２０、表１８に対して表２１を使用することが望ましい。
【０１２５】
表１６及び表１９で、非周期的フィードバック指示子の定義は、非周期的フィードバックを通じてノードＢが可能な限り多くのＤＬ情報を獲得できるようにすることを意図しており、表１７及び表２０で、非周期的フィードバック指示子の定義は、ノードＢが状況に合うように非周期的フィードバック構成を調整することができるように自由度も向上させるものである。表１８及び表２１で、非周期的フィードバック指示子の定義は、重要なＤＬ情報のみを獲得するように非周期的フィードバック量を減少させるものである。
【０１２６】
ＣＡ及びＣｏＭＰの同時使用が許可される場合、１ビットまたは２ビット非周期的フィードバック指示子は、複数のＣＣ及びＣｏＭＰに対して複数のフィードバック割り当てを考慮して非周期的フィードバックを活性化することができる。この場合、非周期的フィードバック指示子のビット数は、ＵＥに対して構成されたＣＣの数、ＣｏＭＰに対して設定される非周期的フィードバック割り当て数、及びＵＬスケジューリングのためのＤＣＩが送信される制御チャネルのタイプによって判定される。
【０１２７】
図１０は、本発明の実施形態によって、ＣｏＭＰ及びＣＡの両方が許可される場合、非周期的フィードバック指示子のビット数を判定する方法を示すフローチャートである。
【０１２８】
図１０を参照すると、ステップ１００２で、ＵＥはＲＲＣにより構成されたフィードバック割り当て数及びＣＣの割り当て数をチェックする。ステップ１００４で、ＵＥはＣＣ割り当て数が１であり、フィードバック割り当て数が１であるか否か、すなわち単一ＣＣが割り当てられ、単一フィードバックが割り当てられるか否かを判定する。単一ＣＣ割り当て及び単一フィードバック割り当ての場合、ステップ１００６で、ＵＥは、非周期的フィードバック指示子を１ビットと判定し、ＤＣＩの特定位置に配置された１ビット非周期的フィードバック指示子を解析する。
【０１２９】
一方、２個以上のＣＣが割り当てられるか、２個以上のフィードバック割り当てが割り当てられる場合、すなわち複数のＣＣ割り当てまたは複数のフィードバック割り当ての場合、ステップ１００８で、ＵＥはＵＬスケジューリングのためにどのチャネルＤＣＩが送信されるかを考慮して、ＰＤＣＣＨの共用検索空間またはＰＤＣＣＨのＵＥ特定検索空間のどちらでＤＣＩを受信するかを判定する。共用検索空間でＤＣＩを受信すると判定する場合、ステップ１０１０でＵＥは、非周期的フィードバック指示子を１ビットと判定する。一方、ＵＥ特定検索空間でＵＬ ＤＣＩを受信すると判定する場合、ステップ１０１２でＵＥは、非周期的フィードバック指示子を２ビットと判定する。
【０１３０】
ＣｏＭＰ及びＣＡを同時使用するように許可されたＵＥで、周期的フィードバック指示子が１ビットで構成される場合、非周期的フィードバック指示子が次の３つの方法で定義され得る。
【０１３１】
非周期的フィードバック指示子を定義する第１の方法によれば、表２２に示したように、非周期的フィードバック指示子がサブフレーム＃ｎでＯＦＦ（‘０’）に設定される場合、ＵＥは、非周期的フィードバックを実行しないと判定し、非周期的フィードバック指示子がＯＮ（‘１’）に設定される場合、どのフィードバック情報が含まれるかに対する情報及び“サービングセルｃ”で一つ以上の有効な信号及び干渉の組合せを指示するＲＲＣ情報に対応するすべての可能なフィードバック割り当てに対する非周期的フィードバックをＵＥがサブフレーム＃（ｎ＋ｋ）で同時送信すると判定する。上述したように、非周期的フィードバック指示子が１ビットで構成される場合、“サービングセルｃ”は対応するＤＣＩが送信されるＤＬ ＣＣである。
【０１３２】
【表２２】
2015502686.tif 000024
【０１３３】
１ビット非周期的フィードバック指示子を定義する第２の方法によれば、表２３に示したように、非周期的フィードバック指示子がＯＮに設定される場合、ＵＥはＲＲＣにより構成されたＣＣで可能なフィードバックのうち、ＲＲＣ信号を通じて設定されるフィードバック割り当てに対して非周期的フィードバックを実行すると判定する。
【０１３４】
【表２３】
2015502686.tif 000025
【０１３５】
１ビット非周期的フィードバック指示子を定義する第３の方法によれば、表２４に示したように、非周期的フィードバック指示子がＯＮに設定される場合、ＵＥは“サービングセルｃ”で可能なフィードバック割り当てのうち代表として指定された一つのフィードバック割り当てに対して非周期的フィードバックを実行すると判定する。ここで、“サービングセルｃ”で代表として指定された単一フィードバック割り当ては、ＵＥに割り当てられる可能なフィードバック割り当てのうちで、最低インデックスまたは最高インデックスを有するフィードバックである。他の例として、“サービングセルｃ”で代表的なフィードバック割り当ては、予め定められた規則によって指定されるか、予め指定された信号を通じてノードＢから与えられる。
【０１３６】
【表２４】
2015502686.tif 000026
【０１３７】
ＣｏＭＰ及びＣＡの同時使用が許可されたＵＥで、周期的フィードバックが２ビットで構成される場合、非周期的フィードバック指示子は、次の３つの方法で定義され得る。
【０１３８】
非周期的フィードバック指示子を定義する第１の方法によれば、表２５に示したように、非周期的フィードバック指示子がサブフレーム＃ｎで‘００’に設定される場合、ＵＥは、非周期的フィードバックを実行しないと判定し、非周期的フィードバック指示子が‘０１’に設定される場合、ＵＥはどのフィードバック情報が含まれるかに対する情報及び“サービングセルｃ”での有効な信号及び干渉の組合せを指示するＲＲＣ情報に対応するすべての可能な非周期的フィードバック割り当てに対する非周期的フィードバックを、ＵＥはサブフレーム＃（ｎ＋ｋ）で同時送信すると判定する。非周期的フィードバック指示子が２ビットで構成される場合、“サービングセルｃ”は、ＵＬスケジューリングのためにＤＣＩに含まれたＣＩＦにより指示されたＵＬ ＣＣにリンクされたＤＬ ＣＣである。非周期的フィードバック指示子が‘１０’または‘１１’に設定される場合、ＵＥは、対応する非周期的フィードバック指示子値に対するＲＲＣ情報に基づいて構成されたＣＣで、ＲＲＣ情報に基づいて別個に設定された非周期的フィードバック割り当てに対して非周期的フィードバックを実行する。
【０１３９】
【表２５】
2015502686.tif 000027
【０１４０】
２ビット非周期的フィードバック指示子を定義する第２の方法によれば、ＣＡ及びＣｏＭＰの同時使用が許可される場合、表２６に示したように、非周期的フィードバック指示子が‘００’に設定される場合、ＵＥは、非周期的フィードバックを実行しないと判定し、非周期的フィードバック指示子が‘０１’、‘１０’、または‘１１’に設定される場合、ＵＥは対応する非周期的フィードバック指示子値に対するＲＲＣ情報に基づいて構成されたＣＣで、ＲＲＣ情報に基づいて設定される非周期的フィードバック割り当てに対して非周期的フィードバックを実行する。
【０１４１】
【表２６】
2015502686.tif 000028
【０１４２】
２ビット非周期的フィードバック指示子を定義する第３の方法によれば、ＣＡ及びＣｏＭＰの同時使用が許可される場合、表２７に示したように、非周期的フィードバック指示子が‘００’に設定される場合、ＵＥは、非周期的フィードバックを実行しないと判定し、非周期的フィードバック指示子が‘０１’に設定される場合、ＵＥは“サービングセルｃ”で可能なフィードバック割り当てのうち代表として指定された単一フィードバック割り当てに対して非周期的フィードバックを実行する。ここで、代表として指定されたフィードバック割り当ては、ＵＥに割り当てられる可能なフィードバック割り当てのうちで、最低インデックスを有するフィードバックまたは最高インデックスを有するフィードバックである。また、非周期的フィードバック指示子が‘１０’または‘１１’に設定される場合、ＵＥは、対応する非周期的フィードバック指示子値に対するＲＲＣ情報に基づいて構成されたＣＣで、ＲＲＣ情報に基づいて別個に設定された非周期的フィードバック割り当てに対して非周期的フィードバックを実行する。
【０１４３】
【表２７】
2015502686.tif 000029
【０１４４】
１ビットまたは２ビット非周期的フィードバック指示子の定義で、１ビット非周期的フィードバック指示子の定義を示す表２２、及び２ビット非周期的フィードバック指示子の定義を示す表２５は、非周期的フィードバック指示子が‘１’及び‘０１’に各々設定される場合、‘すべてのフィードバック割り当てに対して非周期的フィードバックがトリガーされる’という定義を有する。表２３及び表２６の非周期的フィードバック指示子値‘１’及び‘０１’は、同一の定義を有し、表２４及び表２７の非周期的フィードバック指示子値‘１’及び‘０１’は、同一の定義を有する。したがって、１ビットに対して表２２を使用する場合、２ビットに対して表２５を使用することが望ましい。同様に、表２３に対して表２６を使用し、表２４に対して表２７を使用することが望ましい。
【０１４５】
表２２及び表２５で、非周期的フィードバック指示子の定義は、ＣＡ状態に対して非周期的フィードバック方法を最大に使用しながら、ノードＢが非周期的フィードバックを通じて可能な限り多くの呼び出しに対するＤＬ情報を獲得するようにすることができる。表２３及び表２６で、非周期的フィードバック指示子の定義は、ノードＢが状況に合わせて非周期的フィードバック構成を調整することができるように自由度も向上させる。表１２及び表１５で、非周期的フィードバック指示子の定義は、非周期的フィードバック量を減少させて、ノードＢがＣＡ状態に対して非周期的フィードバック方法を最大に使用しながら、重要なＤＬ情報のみを獲得することができるようにする。
次に、複数のＴＰに対する複数のＣＳＩ報告のための追加的なフィールドの実施形態を説明する。
複数のＴＰに対する複数のＣＳＩ報告のための新たなフィールドのうちの一つは、ＣＣＩＦである。
【０１４６】
第１のオプション的な実施形態で、ＣＣＩＦは予め定められたＣＳＩ−ＲＳ構成（または構成ら）に対して非周期的ＣＳＩ報告を指示する。一例で、ＣＳＩ−ＲＳ構成に対するフィードバックが最低構成インデックスを有する。さらに他の例で、すべてのＣＳＩ−ＲＳ構成に対するフィードバックは、ＣｏＭＰ測定セット内である。
【０１４７】
第２のオプション的な実施形態で、ＵＥにより選択される最良のｍＣＳＩ−ＲＳ構成に対して周期的ＣＳＩ報告フィードバックがトリガーされ、ここで、‘ｍ’は１から上位階層により構成され得るＣｏＭＰ測定セットのサイズまでの整数値である。
【０１４８】
第３のオプション的な実施形態で、上位階層により構成されたＣＳＩ−ＲＳ構成の予め定められたセットに対して非周期的ＣＳＩ報告がトリガーされる。
【０１４９】
ＲＲＣシグナリングは、ＣＳＩ−ＲＳ構成指示子フィールドが存在するか否かを指示するＣＳＩ−ＲＳ−構成−指示子−プレゼンスフィールドを送信することができる。ＣＳＩ−ＲＳ−構成−指示子−プレゼンスがディスエーブルである場合、予め定められたＣＳＩ−ＲＳ構成（ら）に基づいて、非周期的ＣＳＩ報告がトリガーされ得る。
【０１５０】
一例で、ＣｏＭＰ測定セットですべてのＣＳＩ−ＲＳ構成に対して非周期的ＣＳＩ報告がトリガーされる。ＣＳＩ−ＲＳ構成指示子フィールドがＣｏＭＰフィードバックに対して存在するか否かは、次のパラメータ（ＣＳＩ−ＲＳ−構成−指示子−プレゼンスを指示する上記ＲＲＣシグナリング無し）のうち、少なくとも一つに依存する。
−ｅＮＢにより構成された非セロパワーＣＳＩ−ＲＳリソースの数
−ｅＮＢにより構成された干渉推定の数
−ｅＮＢにより指示されたフィードバック構成の数
【０１５１】
一つ以上のＣＳＩ−ＲＳ構成が構成される場合、どのＣＳＩ−ＲＳ構成に対して非周期的ＣＳＩ報告がトリガーされるかを指示するために、オプションとしての非周期的−ＣＳＩ−ＲＳ−構成−トリガーフィールドがシグナリングされる。このフィールドは（各ＣＣに対して構成可能な）各サービングセルに対して定義され得る。
【０１５２】
ＲＲＣシグナリングからの２個の相異なるセットがＣＡ及びＣｏＭＰのために参照される。一つのセットは、ＣＡのためのものであり、各ＣＣは“サービングセル”と称する。上位階層により構成されたサービングセルの１セットに対して非周期的ＣＳＩ報告がトリガーされ得る。他のセットは、ＣｏＭＰのためのものである。ＣｏＭＰのためのＴＰごとのＣＳＩフィードバック報告は、ＣｏＭＰ測定セットのＣＳＩ−ＲＳ構成のセットに対応する。上位階層により構成されたＣＳＩ−ＲＳ構成（ＣｏＭＰ測定セットで）の第１のセットに対して非周期的ＣＳＩ報告がトリガーされ得る。
【０１５３】
ＵＬ ＰＵＳＣＨスケジューリングの時（非周期的ＣＳＩ報告のためのものではない）、ＣＳＩ−ＲＳ構成指示子は必要でない。ＣＳＩ報告要請フィールドがゼロである場合、ＣＣＩＦは相異なる目的、例えばＲＲＭ（Radio Resource Management）またはＲＳＲＰ（Reference Signal Received）測定トリガーリングのために使用されることができる。非周期的ＣＳＩ報告のためのＣｏＭＰ測定セットは、周期的ＣＳＩ報告のためのＣｏＭＰ測定セットと相互に異なることがある。
表２８乃至表３０は、ＲＲＣシグナリング無しのＣＳＩ−ＲＳ構成指示子フィールド（１ビットケース）の例を示す。
【０１５４】
【表２８】
2015502686.tif 000030
【０１５５】
【表２９】
2015502686.tif 000031
【０１５６】
【表３０】
2015502686.tif 000032
【０１５７】
表３１乃至表３３は、非周期的−ＣＳＩ−ＲＳ−構成−トリガーを用いてＣＳＩ−ＲＳ構成指示子フィールド（１ビットケース）の例を示す。
【０１５８】
【表３１】
2015502686.tif 000033
【０１５９】
【表３２】
2015502686.tif 000034
【０１６０】
【表３３】
2015502686.tif 000035
【０１６１】
表３４は、ＲＲＣシグナリング無しのＣＳＩ−ＲＳ構成指示子フィールド（２ビット）の一例を示す。
【０１６２】
【表３４】
2015502686.tif 000036
【０１６３】
表３５及び表３６は、非周期的−ＣＳＩ−ＲＳ−構成−トリガーを使用するＣＳＩ−ＲＳ構成指示子フィールド（２ビットケース）の例を示す。
【０１６４】
【表３５】
2015502686.tif 000037
【０１６５】
【表３６】
2015502686.tif 000038
【０１６６】
表３７及び表３８は、非周期的−ＣＳＩ−ＲＳ−構成−トリガーを使用するＣＳＩ−ＲＳ構成指示子フィールド（３ビットケース）を示す。
【０１６７】
【表３７】
2015502686.tif 000039
【０１６８】
【表３８】
2015502686.tif 000040
【０１６９】
ＲＲＣシグナリング無しのＣＳＩ−ＲＳ構成指示子フィールドは、次のように、例えば３ビットの予め定められたＣＳＩ−ＲＳ報告セットのビットマップ類型を有することができる。
［ＣＳＩＲＳ１、ＣＳＩＲＳ２、ＣＳＩＲＳ３］＝［０００］〜［１１１］
【０１７０】
ビット列の最左側ビット０は、ＣｏＭＰ測定セットで、ＣＳＩＲＳ＿Ｃｏｎｆｉｇｕｒａｔｉｏｎ＿Ｉｎｄｅｘ＝０であるＣＳＩ−ＲＳ構成に対応する。各ビットは、対応するＣＳＩ−ＲＳ構成に対して非周期的ＣＳＩ報告がトリガーされないことを意味する値０、または対応するＣＳＩ−ＲＳ構成に対して非周期的ＣＳＩ報告がトリガーされることを意味する値１を有する。ＣｏＭＰ測定セットサイズは、次の場合に３以下である。ビットマップサイズは構成可能である。ＣＣＩＦのサイズは上位階層信号により構成されることができる。
【０１７１】
ＣＩＦは、新たなＣＣＩＦを追加する代わりに使用されることができる。ＣＩＦは表３９に示したように３ビットであり、０００から１００のＣＩＦは、５ＣＣに使用されることができ、１０１から１１１のＣＩＦは専用されない。この定義されない（または非専用）ビット割り当てはＣｏＭＰのためのフィードバック情報をフィードバックするために使用されることができる。ＣｏＭＰフィードバックがトリガーされる場合に、単一ＣＣ送信を推定することができる。ＰＵＳＣＨに対するＣＣが予め定められるか（例えば、サービングセルのインデックスを参照する最低ＳｅｒｖＣｅｌｌＩｎｄｅｘ）、上位階層信号で定義される。
【０１７２】
【表３９】
2015502686.tif 000041
【０１７３】
ＲＲＣ信号は、一つ以上のＣＳＩ−ＲＳ構成が構成される場合、どのＣＳＩ−ＲＳ構成に対して非周期的ＣＳＩ報告がトリガーされるかを示すオプションとしての非周期的−ＣＳＩ−ＲＳ−構成−トリガーフィールドを送信することができる。このフィールドは、ＵＬ ＰＵＳＣＨに対するスケジューリングＣＣであるキャリア指示子情報を含むことができる。ＲＲＣシグナリングから２個の相異なるセットがＣＡ及びＣｏＭＰに対して参照される。一つのセットは、ＣＡのためのものであり、各ＣＣはサービングセルと称する。上位階層により構成されたサービングセルの第１のセットに対して非周期的ＣＳＩ報告がトリガーされることができる。
【０１７４】
他のセットは、ＣｏＭＰのためのものであり、ＣｏＭＰのためのＴＰごとのＣＳＩフィードバック報告は、ＣｏＭＰ測定セットでＣＳＩ−ＲＳ構成のセットに対応する。上位階層により構成されたＣＳＩ−ＲＳ構成（ＣｏＭＰ測定セットで）の第１のセットに対して非周期的ＣＳＩ報告がトリガーされることができる。
リソースの非効率を減らすために、３ＧＰＰリリース１０のＤＣＩフォーマットに対してＣＡで使用されない部分にＣＩＦフィールドが挿入される。
図１１は、本発明の実施形態によるＤＣＩフォーマットの一例を示す。
【０１７５】
図１１を参照すると、ＤＣＩフォーマットは、ＣＩＦ、フラグフォーマットフィールド、ＲＢ（Resource Block）割り当てフィールド、オプションとしてのＣＳＩ−ＲＳ構成指示子１１０２、少なくとも一つのＭＣＳ（Modulation and Coding Scheme）及びＲＶ（Redundancy Version）フィールド、ＮＤＩ（New Data Indicator）、ＴＰＣ（Transmit Power Control）コマンド、ＯＣＣ（Orthogonal Cover Code）インデックス及びＤＭＲＳ（Demodulation Reference Signal）のためのＣＳ（Cyclic Shift）、ＴＤＤ専用ＴＤＤ構成フィールド、ＣＳＩ要請フィールド１１０４、１１０６、１１０８、ＳＲＳ（Sounding Reference Signal）要請フィールド、及びマルチクラスターフラグを含む。ＣＳＩ要請フィールド１１０４、１１０６、１１０８は、１、２、または３ビットで構成可能である。
【０１７６】
ＤＳ／ＤＢに対して、ＵＥは多重干渉推定のためにＣＳＩ（例えばブランキングと共にまたは無し）を生成することができる。ＤＳ／ＤＢのためのＣＳＩ報告を計算する次の例で、ｅＮＢはブランキング（Ｂ−ＴＰ）に対してどのＴＰが可能であるかを示す。
フィードバックセット＝｛ＴＰ−１、ＴＰ−２、ＴＰ−３｝、Ｂ−ＴＰ＝ＴＰ−１
ＵＥは、次の通り５個のＣＳＩを生成することができる。
−ブランキングがないＴＰ−１のための第１のＣＳＩ
−それぞれ、ＴＰ−１のブランキングと共に及び無しで、ＴＰ−２のための第２の及び第３のＣＳＩ
−それぞれ、ＴＰ−１のブランキングと共に及び無しで、ＴＰ−３のための第４及び第５のＣＳＩ
【０１７７】
ＩＭＲが使用される場合、ｅＮＢは信号に対して各ＣＳＩ−ＲＳ構成を有する２個の干渉測定リソース（Ｂ−ＴＰのブランキングと共に及び無しで）をＵＥに割り当てることができる。各ＣＳＩ−ＲＳ構成ごとに、ＵＥは２個の干渉測定リソースに対応する２個のＣＳＩを生成する。ｅＮＢがＣＳＩ−ＲＳ構成を有する一つの干渉測定リソースのみを割り当てる場合に、ＣＳＩ−ＲＳ構成はＢ−ＴＰのためのものであり得る。
【０１７８】
ＤＢのためのＣＳＩ報告で、一部追加的なＣＳＩ報告が上述したようにＤＳ／ＤＢ推定（複数の干渉推定）に条件的に計算される。複数のポイントに対するＣＳＩ報告で、ＣｏＭＰ測定セットですべてのＣＳＩ−ＲＳ構成に対して非周期的ＣＳＩ報告がトリガーされる。ＤＢのためのＣＳＩ報告で、ＣｏＭＰ測定セットのすべてのＣＳＩ−ＲＳ構成に対して非周期的追加的なＣＳＩ報告（ＤＢのために）がトリガーされる。
【０１７９】
また、ＣＳＩ要請フィールドは、新たなＣＣＩＦを追加する代わりに使用されることができる。例えば、ＣＳＩ要請フィールドは、修正された説明を有するＣＳＩ要請フィールドを再使用するか、ＣｏＭＰに対するフィードバック情報を含むようにＣＳＩ要請フィールドのサイズを向上させることができる。
【０１８０】
オプションとしてのＡ−ＣＳＩ（Additional CSI Request）フィールドは、非周期的−ＣＳＩ−ＲＳ−構成−トリガー情報がＤＢのためにＣＳＩ報告を含むことを指示することができる。ＵＥは、Ａ−ＣＳＩフィールド無しで（例えば、これはＣｏＭＰのためのＣＳＩフィードバックのベースラインであり得る）、対応するＣＳＩ構成に対してＤＢのためのＣＳＩフィードバック及び追加的なＣＳＩフィードバックを有することができる。Ａ−ＣＳＩ要請フィールドは１ビットであり得、１に設定される場合、ＤＳ／ＣＢのための追加的なＣＳＩフィードバックがＣＳＩ−ＲＳ構成に対するＣＳＩ報告上に生成される。
【０１８１】
ＲＲＣシグナリングは、アップデートされたＣＳＩ要請フィールドが使用されるか否かを指示するＣＳＩ−ＲＳ−構成−指示子−プレゼンスを送信する。このフィールドは、Ａ−ＣＳＩフィールドが存在するか否かに対する条件を含むことができる。または、Ａ−ＣＳＩ要請フィールドに対して‘Ａ−ＣＳＩ−要請−プレゼンス’フィールドの新たなＲＲＣシグナリングがあるはずである。
【０１８２】
ＣＳＩ−ＲＳ−構成−指示子−プレゼンスがディスエーブルである場合、予め定められたＣＳＩ−ＲＳ構成（ら）に基づいた非周期的ＣＳＩ報告がトリガーされることができる。例えば、ＣｏＭＰ測定セットですべてのＣＳＩ−ＲＳ構成に対して非周期的ＣＳＩ報告がトリガーされることができ、ＣｏＭＰ測定セットですべてのＣＳＩ−ＲＳ構成に対して追加的な非周期的ＣＳＩ報告（ＤＢのために）がトリガーされる。
【０１８３】
アップデートされたＣＳＩ要請フィールドがＣｏＭＰフィードバックに使用されるか否かは、上記ＲＲＣシグナリングされたＣＳＩ−ＲＳ−構成−指示子−プレゼンス無しで、
（１）ｅＮＢにより構成された非セロパワーＣＳＩ−ＲＳリソースの数、
（２）ｅＮＢにより構成された干渉推定の数
（３）ｅＮＢにより指示されたフィードバック構成の数
のうち少なくとも一つに依存する。
【０１８４】
一つ以上のＣＳＩ−ＲＳ構成が構成される場合、オプションとしての非周期的−ＣＳＩ−ＲＳ−構成−トリガーフィールドは、どのＣＳＩ−ＲＳ構成に対して非周期的ＣＳＩ報告がトリガーされるかを指示する。このフィールドは、各サービングセル（またはＣＣ）ごとに定義され得る。ＲＲＣシグナリングから２個の相異なるセットがＣＡ及びＣｏＭＰのために参照される。一つのセットは、ＣＡのためのものであり、各ＣＣはサービングセルと称する。上位階層により構成されたサービングセルの第１のセットに対して非周期的ＣＳＩ報告がトリガーされることができる。
【０１８５】
他のセットは、ＣｏＭＰのためのものであり、ＣｏＭＰのためのＴＰごとのＣＳＩフィードバック報告は、ＣｏＭＰ測定セットでＣＳＩ−ＲＳ構成のセットに対応する。上位階層により構成されたＣＳＩ−ＲＳ構成（ＣｏＭＰ測定セットで）の第１のセットに対して非周期的ＣＳＩ報告がトリガーされることができる。
【０１８６】
リソースの非効率性を減らすために、ＣＣＩＦに対して固定ビットを使用する代わりに、ＣＳＩ報告フィールドがゼロに設定される場合、非周期的ＣＳＩ報告に対するＣｏＭＰ測定セットは、周期的ＣＳＩ報告に対するＣｏＭＰ測定セットと相異なることがある。
【０１８７】
表４０乃至表４３は、新たなＣＳＩ要請フィールドの例を表し、既存のＣＳＩ要請フィールドが１ビットである場合、新たなＣＳＩ要請フィールドが１ビットであり、ＤＢのための追加的なＣＳＩ要請フィールドは１ビットに設定される。対応するＣＳＩ−ＲＳ構成に対するＣＳＩ報告以外に、対応するＣＳＩ−ＲＳ構成に対するＤＢのためのＣＳＩ報告がトリガーされる。
【０１８８】
【表４０】
2015502686.tif 000042
【０１８９】
【表４１】
2015502686.tif 000043
【０１９０】
【表４２】
2015502686.tif 000044
【０１９１】
【表４３】
2015502686.tif 000045
【０１９２】
表４４乃至表４７は、新たなＣＳＩ要請フィールドの説明を示す。従来のＣＳＩ要請フィールドが１ビットである場合に、新たなＣＳＩ要請フィールドは１ビットであり、Ａ−ＣＳＩフィールドは存在しない。
【０１９３】
【表４４】
2015502686.tif 000046
【０１９４】
【表４５】
2015502686.tif 000047
【０１９５】
【表４６】
2015502686.tif 000048
【０１９６】
【表４７】
2015502686.tif 000049
【０１９７】
表４８乃至表４９は、新たなＣＳＩ要請フィールドの説明を示し、従来のＣＳＩ要請フィールドが１ビットである場合に、新たなＣＳＩ要請フィールドは２であり、ＤＢのための追加のＣＳＩ要請フィールドは１に設定される。対応するＣＳＩ−ＲＳ構成に対するＣＳＩ報告に加えて、ＣＳＩ−ＲＳ構成に対応するＤＢのためのＣＳＩ報告がトリガーされる。
【０１９８】
【表４８】
2015502686.tif 000050
【０１９９】
【表４９】
2015502686.tif 000051
【０２００】
表５０及び表５１は、新たなＣＳＩ要請フィールドの説明を示し、従来のＣＳＩ要請フィールドが１ビットである場合に、新たなＣＳＩ要請フィールドは２ビットであり、Ａ−ＣＳＩフィールドは存在しない。
【０２０１】
【表５０】
2015502686.tif 000052
【０２０２】
【表５１】
2015502686.tif 000053
【０２０３】
表５２及び表５３は、新たなＣＳＩ要請フィールドの説明を示し、従来のＣＳＩ要請フィールドが１ビットである場合に、新たなＣＳＩ要請フィールドは２ビットであり、Ａ−ＣＳＩフィールドは存在しない。
【０２０４】
【表５２】
2015502686.tif 000054
【０２０５】
【表５３】
2015502686.tif 000055
【０２０６】
表５４及び表５５は、新たなＣＳＩ要請フィールドの説明を示し、従来のＣＳＩ要請フィールドが２ビットである場合に、新たなＣＳＩ要請フィールドは２ビットであり、ＤＢのための追加のＣＳＩ要請フィールドは１に設定される。対応するＣＳＩ−ＲＳ構成に対するＣＳＩ報告に加えて、対応するＣＳＩ−ＲＳ構成に対してＤＢのためのＣＳＩ報告がトリガーされる。
【０２０７】
【表５４】
2015502686.tif 000056
【０２０８】
【表５５】
2015502686.tif 000057
【０２０９】
表５６及び表５７は、新たなＣＳＩ要請フィールドの説明を示し、従来のＣＳＩ要請フィールドが２ビットである場合に、新たなＣＳＩ要請フィールドは２ビットであり、Ａ−ＣＳＩフィールドは存在しない。
【０２１０】
【表５６】
2015502686.tif 000058
【０２１１】
【表５７】
2015502686.tif 000059
【０２１２】
表５８は、新たなＣＳＩ要請フィールドの説明を示し、従来のＣＳＩ要請フィールドが２ビットである場合に、新たなＣＳＩ要請フィールドは３ビットであり、ＤＢのための追加のＣＳＩ要請フィールドは１に設定される。対応するＣＳＩ−ＲＳ構成に対するＣＳＩ報告に加えて、対応するＣＳＩ−ＲＳ構成に対してＤＢのためのＣＳＩ報告がトリガーされる。
【０２１３】
【表５８】
2015502686.tif 000060
【０２１４】
表５９及び表６０は、新たなＣＳＩ要請フィールドの説明を示し、従来のＣＳＩ要請フィールドが２ビットである場合に、新たなＣＳＩ要請フィールドは３ビットであり、Ａ−ＣＳＩフィールドは存在しない。
【０２１５】
【表５９】
2015502686.tif 000061
【０２１６】
【表６０】
2015502686.tif 000062
【０２１７】
複数のＴＰに対して複数のＣＳＩ報告のための新たなフィールドは、ＣＣＩＦである。
【０２１８】
第１のオプション的な実施形態において、ＣＣＩＦは、予め定義されたＣＳＩ−ＲＳ構成（または構成ら）に対する非周期的ＣＳＩ報告を示す。一例において、最低構成インデックスを有するＣＳＩ−ＲＳ構成に対するフィードバックが指示される。他の例で、ＣｏＭＰセットですべてのＣＳＩ−ＲＳ構成に対するフィードバックが指示される。
【０２１９】
第２のオプション的な実施形態において、ＵＥにより選択される最良のｍＣＳＩ−ＲＳ構成に対して非周期的ＣＳＩ報告フィードバックがトリガーされ、ここで、‘ｍ’は、１乃至上位階層により構成されるＣｏＭＰ測定セットの大きさの整数値である。
【０２２０】
第３のオプション的な実施形態において、上位階層により構成されるＣＳＩ−ＲＳ構成の予め定義されたセットに対して非周期的ＣＳＩ報告がトリガーされる。複数のＣＳＩ−ＲＳ構成に対する非周期的ＣＳＩ報告の上に、ＵＥは、Ａ−ＣＳＩ要請が１に設定される場合に、対応するＣＳＩ−ＲＳ構成に基づいて、ＤＢのためのＣＳＩ報告を生成する。
【０２２１】
Ａ−ＣＳＩフィールドは、非周期的−ＣＳＩ−ＲＳ−構成−トリガー情報がＤＢのためのＣＳＩ報告を含み得ることを示すオプションとしてのフィールドであり得る。ＵＥは、Ａ−ＣＳＩフィールド（例えば、これは、ＣｏＭＰに対するＣＳＩフィードバックのベースラインであり得る）なしに対応するＣＳＩ構成に対してＤＢのための追加のＣＳＩフィードバック及びＣＳＩフィードバックを常に有することができる。Ａ−ＣＳＩ要請フィールドは、１ビットであり得、１に設定される場合に、ＤＢのための追加のＣＳＩフィードバックは、ＣＣＩＦに基づいて生成される。
【０２２２】
ＲＲＣシグナリングは、ＣＳＩ−ＲＳ構成インジケータフィールドが存在するか否かを示すＣＳＩ−ＲＳ−構成−インジケータ−プレゼンスフィールドを送信する。このフィールドは、Ａ−ＣＳＩフィールドが存在するか否かに対する条件を含むことができる。そうでない場合には、Ａ−ＣＳＩ要請フィールドに対する‘Ａ−ＣＳＩ−要請−プレゼンス’フィールドの新たなＲＲＣシグナリングがあるはずである。
【０２２３】
ＣＳＩ−ＲＳ−構成−インジケータ−プレゼンスがディスエーブルされる場合に、予め定義されたＣＳＩ−ＲＳ構成（ら）に基づく非周期的ＣＳＩ報告がトリガーされることができる。例えば、ＣｏＭＰ測定セット内のすべてのＣＳＩ−ＲＳ構成に対して非周期的ＣＳＩ報告がトリガーされ、ＣｏＭＰ測定セットのすべてのＣＳＩ−ＲＳ構成に対して非周期的な追加のＣＳＩ報告（ＤＢのために）がトリガーされる。
【０２２４】
ＣＳＩ−ＲＳ構成インジケータフィールドが現在のＣｏＭＰフィードバックであるか否かは、次のパラメータ（ＲＲＣシグナリングＣＳＩ−ＲＳ−構成−インジケータ−プレゼンスなしに）のうちの少なくとも１つに依存する。
−ｅＮＢにより構成される非ゼロ−パワーＣＳＩ−ＲＳリソースの数
−ｅＮＢにより構成される干渉推定の数
−ｅＮＢにより示されるフィードバック構成の数
【０２２５】
オプションとしての非周期的−ＣＳＩ−ＲＳ−構成−トリガーフィールドは、１つ以上のＣＳＩ−ＲＳ構成が構成される場合に、どのＣＳＩ−ＲＳ構成に対して非周期的ＣＳＩ報告がトリガーされるかを示す。このフィールドは、各サービングセル（またはＣＣ）ごとに定義されることができる。
【０２２６】
ＲＲＣシグナリングからの２個の相互に異なるセットは、ＣＡ及びＣｏＭＰのために参照される。１つのセットは、ＣＡのためのものであり、各ＣＣは、サービングセルと呼ばれる。例えば、上位階層により構成されたサービングセルの第１のセットに対して非周期的ＣＳＩ報告がトリガーされる。
【０２２７】
他のセットは、ＣｏＭＰのためのものであり、ＣｏＭＰのための各ＴＰに対するＣＳＩフィードバック報告は、ＣｏＭＰ測定セットでＣＳＩ−ＲＳ構成のセットに対応する。例えば、上位階層により構成されたＣＳＩ−ＲＳ構成（ＣｏＭＰ測定セットで）の第１のセットに対して非周期的ＣＳＩ報告がトリガーされる。
【０２２８】
ＣＣＩＦ及びＡ−ＣＳＩは、ＵＬ ＰＵＳＣＨスケジューリングに使用されない（非周期的ＣＳＩ報告のためのものではない）。ＣＳＩ報告要請フィールドがゼロである場合に、ＣＣＩＦ／Ａ−ＣＳＩは、他の目的、例えば、ＲＲＭ（ＲＳＲＰ）測定トリガーリングのために使用されることができる。非周期的ＣＳＩ報告に対するＣｏＭＰ測定セットは、周期的ＣＳＩ報告に対するＣｏＭＰ測定セットとは異なることがある。
【０２２９】
表６１は、ＤＢのための追加のＣＳＩ要請フィールドが１に設定される場合に、ＲＲＣシグナリングなしにＣＳＩ−ＲＳ構成インジケータフィールド（１ビットケース）の例を示す。対応するＣＳＩ−ＲＳ構成に対するＣＳＩ報告に加えて、対応するＣＳＩ−ＲＳ構成に対するＤＢのためのＣＳＩ報告がトリガーされる。
【０２３０】
【表６１】
2015502686.tif 000063
【０２３１】
表６２乃至表６４は、Ａ−ＣＳＩフィールドが存在しない場合に、ＲＲＣシグナリングなしにＣＳＩ−ＲＳ構成インジケータフィールド（１ビットケース）の例を示す。
【０２３２】
【表６２】
2015502686.tif 000064
【０２３３】
【表６３】
2015502686.tif 000065
【０２３４】
【表６４】
2015502686.tif 000066
【０２３５】
表６５乃至表６７は、Ａ−ＣＳＩフィールドが存在しない場合に、ＲＲＣシグナリングなしにＣＳＩ−ＲＳ構成インジケータフィールド（１ビットケース）の例を示す。
【０２３６】
【表６５】
2015502686.tif 000067
【０２３７】
【表６６】
2015502686.tif 000068
【０２３８】
【表６７】
2015502686.tif 000069
【０２３９】
表６８は、ＤＢのための追加のＣＳＩ要請フィールドが１に設定される場合に、非周期的−ＣＳＩ−ＲＳ−構成−トリガーを使用するＣＳＩ−ＲＳ構成インジケータフィールド（１ビットケース）の例を示す。対応するＣＳＩ−ＲＳ構成に対するＣＳＩ報告に加えて、対応するＣＳＩ−ＲＳ構成に対するＤＢのためのＣＳＩ報告がトリガーされる。
【０２４０】
【表６８】
2015502686.tif 000070
【０２４１】
表６９乃至表７１は、Ａ−ＣＳＩフィールドが存在しない場合に、非周期的−ＣＳＩ−ＲＳ−構成−トリガーを使用するＣＳＩ−ＲＳ構成インジケータフィールド（１ビットケース）の例を示す。
【０２４２】
【表６９】
2015502686.tif 000071
【０２４３】
【表７０】
2015502686.tif 000072
【０２４４】
【表７１】
2015502686.tif 000073
【０２４５】
表７２乃至表７６は、Ａ−ＣＳＩフィールドが存在しない場合に、非周期的−ＣＳＩ−ＲＳ−構成−トリガーを使用するＣＳＩ−ＲＳ構成インジケータフィールド（１ビットケース）の例を示す。
【０２４６】
【表７２】
2015502686.tif 000074
【０２４７】
【表７３】
2015502686.tif 000075
【０２４８】
【表７４】
2015502686.tif 000076
【０２４９】
【表７５】
2015502686.tif 000077
【０２５０】
【表７６】
2015502686.tif 000078
【０２５１】
表７７は、ＤＢのための追加のＣＳＩ要請フィールドが１に設定される場合に、ＲＲＣシグナリングなしにＣＳＩ−ＲＳ構成インジケータフィールド（２ビットケース）の一例を示す。対応するＣＳＩ−ＲＳ構成に対するＣＳＩ報告に加えて、対応するＣＳＩ−ＲＳ構成に対するＤＢのためのＣＳＩ報告がトリガーされる。
【０２５２】
【表７７】
2015502686.tif 000079
【０２５３】
表７８は、Ａ−ＣＳＩフィールドが存在しない場合に、ＲＲＣシグナリングなしにＣＳＩ−ＲＳ構成インジケータフィールド（２ビットケース）の例を示す。
【０２５４】
【表７８】
2015502686.tif 000080
【０２５５】
表７９は、ＤＢのための追加のＣＳＩ要請フィールドが１に設定される場合に、非周期的−ＣＳＩ−ＲＳ−構成−トリガーを使用するＣＳＩ−ＲＳ構成インジケータフィールド（２ビットケース）の一例を示す。対応するＣＳＩ−ＲＳ構成に対するＣＳＩ報告に加えて、対応するＣＳＩ−ＲＳ構成に対するＤＢのためのＣＳＩ報告がトリガーされる。
【０２５６】
【表７９】
2015502686.tif 000081
【０２５７】
表８０は、Ａ−ＣＳＩフィールドが存在しない場合に、非周期的−ＣＳＩ−ＲＳ−構成−トリガーを使用するＣＳＩ−ＲＳ構成インジケータフィールド（２ビットケース）の例を示す。
【０２５８】
【表８０】
2015502686.tif 000082
【０２５９】
ＣＳＩ−ＲＳ構成インジケータフィールドがＲＲＣシグナリングなしにビットマップタイプである場合に、ＤＢのための追加のＣＳＩ要請フィールドは、１に設定される。対応するＣＳＩ−ＲＳ構成に対するＣＳＩ報告に加えて、対応するＣＳＩ−ＲＳ構成に対するＤＢのためのＣＳＩ報告がトリガーされる。ビットマップタイプが予め定義されたＣＳＩ−ＲＳ報告セット、例えば、３ビットを有する。
［ＣＳＩＲＳ１、ＣＳＩＲＳ２、ＣＳＩＲＳ３］＝［０００］〜［１１１］
【０２６０】
ビット列内の最左側ビット０は、ＣＳＩＲＳ＿Ｃｏｎｆｉｇｕｒａｔｉｏｎ＿Ｉｎｄｅｘ＝０を有するＣＳＩ−ＲＳ構成に対応する。各ビットが対応するＣＳＩ−ＲＳ構成に対する非周期的ＣＳＩ報告がトリガーされないことを意味する値０を有するか、又は対応するＣＳＩ−ＲＳ構成に対する非周期的ＣＳＩ報告がトリガーされることを意味する値１を有する。この場合に、ＣｏＭＰ測定セットのサイズは、３以下である。ビットマップの大きさは、構成可能である。ＣＣＩＦの大きさは、上位階層シグナリングにより構成されることができる。
【０２６１】
ＣＩＦが新たなＣＣＩＦを追加する代わりに使用されることができる。表８１に示すように、ＣＩＦは、３ビットである。０００乃至１００のＣＩＦ情報は、５ＣＣのために使用され、１０１乃至１１１のＣＩＦ情報は、専用されない。このような定義されない（または非専用）ビット割り当ては、ＣｏＭＰのためのフィードバック情報に使用されることができる。ＣｏＭＰフィードバックがトリガーされる場合に、単一ＣＣ送信を推定することができる。ＰＵＳＣＨに対するＣＣが予め定義されるか（例えば、最低ＳｅｒｖＣｅｌｌＩｎｄｅｘ）、又は上位階層シグナリングに定義される。
【０２６２】
【表８１】
2015502686.tif 000083
【０２６３】
オプションとしてのＡ−ＣＳＩフィールドは、周期的−ＣＳＩ−ＲＳ−構成−トリガー情報がＤＢのためのＣＳＩ報告を含み得ることを示すことができる。ＵＥは、Ａ−ＣＳＩフィールド（例えば、これは、ＣｏＭＰのためのＣＳＩフィードバックのベースラインであり得る）なしに、対応するＣＳＩ構成に対するＤＢのための追加のＣＳＩフィードバック及びＣＳＩフィードバックを常に有することができる。Ａ−ＣＳＩ要請フィールドは、１ビットであり得る。Ａ−ＣＳＩ要請フィールドが１に設定されると、ＤＳ／ＣＢのための追加のＣＳＩフィードバックは、ＣＳＩ−ＲＳ構成に対するＣＳＩ報告の上に生成される。
【０２６４】
ＲＲＣシグナリングは、少なくとも１つのＣＳＩ−ＲＳ構成が構成される場合に、どのＣＳＩ−ＲＳ構成に対して非周期的ＣＳＩ報告がトリガーされるかを示すオプションとしての非周期的−ＣＳＩ−ＲＳ−構成−トリガーフィールドを送信する。オプションとしての非周期的−ＣＳＩ−ＲＳ−構成−トリガーフィールドは、ＵＬ ＰＵＳＣＨに対してＣＣをスケジューリングするキャリアインジケータ情報を含み得る。
【０２６５】
ＲＲＣシグナリングからの２個の異なるセットは、ＣＡ及びＣｏＭＰのために参照される。１つのセットは、ＣＡのためのものであり、各ＣＣは、‘サービングセル’と呼ばれる。例えば、上位階層により構成されたサービングセルの第１のセットに対して非周期的ＣＳＩ報告がトリガーされる。
【０２６６】
他のセットは、ＣｏＭＰのためのものであり、ＣｏＭＰのための各ＴＰに対するＣＳＩフィードバック報告は、ＣｏＭＰ測定セットでＣＳＩ−ＲＳ構成のセットに対応する。例えば、上位階層により構成されたＣＳＩ−ＲＳ構成（すなわち、ＣｏＭＰ測定セット内で）の第１のセットに対して非周期的ＣＳＩ報告がトリガーされる。複数のＣＳＩ−ＲＳ構成に対する非周期的ＣＳＩ報告の上に、ＵＥは、対応するＣＳＩ−ＲＳ構成に基づいて、ＤＢのためのＣＳＩ報告を生成する。
図１２は、本発明の実施形態によるＤＣＩフォーマットの一例を示す。
【０２６７】
図１２を参照すると、ＤＣＩフォーマットは、ＣＩＦ、フラッグフォーマットフィールド、ＲＢ割り当てフィールド、オプションとしてのＣＳＩ−ＲＳ構成インジケータ１２０２、ＤＢのための追加のＣＳＩ要請フィールド１２０４、少なくとも１つのＭＣＳ及びＲＶフィールド、ＮＤＩ、ＴＰＣコマンド、ＤＭＲＳに対するＣＳ及びＯＣＣインデックス、ＴＤＤ専用ＴＤＤ構成フィールド、ＣＳＩ要請フィールド１２０６、１２０８、１２１０、ＳＲＳ要請フィールド、及びマルチ−クラスターフラッグを含む。ＣＳＩ要請フィールド１２０６、１２０８、１２１０は、１、２、または３ビットで構成されることができる。
【０２６８】
ＪＴのためのフィードバックに対して、すべてのＴＰのための複数のＣＳＩは、フィードバックセット内に含まれる。接続ＣＳＩは、ジョイント送信に基づいて確立される。可能な接続情報は、次の通りである。
−ケース１：ＪＴ＿ＲＩ（ＪＴのためのＲＩ）、ＪＴ＿ＰＭＩ（ＪＴのためのＰＭＩ）、及びＪＴ＿ＣＱＩ（ＪＴのためのＣＱＩ）
−ケース２：ＪＴ＿ＰＭＩ及びＪＴ＿ＣＱＩ
−ケース３：ＪＴ＿ＣＱＩ
−ケース４：ＪＴ＿ＰＭＩ
ＪＴ＿ＰＭＩは、ＴＰ間の位相差情報である。
【０２６９】
ＪＴセットは、ＪＴに対して対をなすＴＰのセットである（すなわち、対応するＣＳＩ−ＲＳ構成）。ＪＴセットは、ＣｏＭＰ測定セットのサブセットである。複数のＪＴセットは、１つのＵＥに構成されることがある。
【０２７０】
ＪＴのための新たなフィードバックモードも必要である。ＪＴセット内のＴＰ間のジョイント送信を考慮すると、ＣＳＩは、ＪＴセット内の（ＪＴ＿ＲＩ、ＪＴ＿ＰＭＩ、ＪＴ＿ＣＱＩ）各ＴＰに対するＪＴモード：（ＲＩ、ＰＭＩ、ＣＱＩ）に含まれ得る。ＪＴ＿ＲＩのフィードバックは、オプション的である。これは、ｅＮＢ側で推定することができる。ＪＴ＿ＰＭＩは、ＪＴセット内のＴＰ間の１つ以上の位相差である。ＪＴ＿ＣＱＩは、ジョイント送信のためのＣＱＩと各ＴＰのためのＣＱＩとの間の差である。
【０２７１】
ＪＴのためのＣＳＩ報告において、追加のＣＳＩ報告は、詳述した重要項目で例示できるＪＴ推定（または複数のＴＰ推定）に基づいて計算される。複数の地点に対するＣＳＩ報告において、ＣｏＭＰ測定セットのすべてのＣＳＩ−ＲＳ構成に対して非周期的ＣＳＩ報告がトリガーされる。ＪＴのためのＣＳＩ報告において、ＣｏＭＰ測定セットのすべてのＣＳＩ−ＲＳ構成に対して追加の非周期的ＣＳＩ報告（ＪＴのために）がトリガーされる。
【０２７２】
ＣｏＭＰのためのフィードバック情報を含むようにＣＳＩ要請フィールドの大きさを増加させるか、又は修正された説明で従来のＣＳＩ要請フィールドを再使用することによりＣＳＩ要請フィールドが構成される。
【０２７３】
オプションとしてのＡ−ＣＳＩフィールドは、非周期的−ＣＳＩ−ＲＳ−構成−トリガー情報がＤＢのためのＣＳＩ報告を含むことを示すことができる。ＵＥは、Ａ−ＣＳＩフィールド（例えば、これは、ＣｏＭＰのためのＣＳＩフィードバックのベースラインであり得る）なしに、対応するＣＳＩ構成に対してＪＴのための追加のＣＳＩフィードバック及びＣＳＩフィードバックを常に有することができる。Ａ−ＣＳＩ要請フィールドは、１ビットであり得る。Ａ−ＣＳＩ要請フィールドが１に設定されると、ＤＳ／ＣＢのための追加のＣＳＩフィードバックは、ＣＳＩ−ＲＳ構成に対するＣＳＩ報告の上で生成される。
【０２７４】
ＲＲＣシグナリングは、アップデートされたＣＳＩ要請フィールドが使用されるか否かを示すＣＳＩ−ＲＳ−構成−インジケータ−プレゼンスフィールドを送信する。ＣＳＩ−ＲＳ−構成−インジケータ−プレゼンスフィールドは、Ａ−ＣＳＩフィールドが存在するか否かを示す。そうでない場合に、Ａ−ＣＳＩ要請フィールドに対する‘Ａ−ＣＳＩ−要請−プレゼンス’フィールドの新たなＲＲＣシグナリングであり得る。
【０２７５】
ＣＳＩ−ＲＳ−構成−インジケータ−プレゼンスがディスエーブルされる場合に、予め定義されたＣＳＩ−ＲＳ構成（ら）に基づく非周期的ＣＳＩ報告がトリガーされることができる。例えば、ＣｏＭＰ測定セットのすべてのＣＳＩ−ＲＳ構成に対して非周期的ＣＳＩ報告がトリガーされ、ＣｏＭＰ測定セットのすべてのＣＳＩ−ＲＳ構成に対して非周期的な追加のＣＳＩ報告（ＪＴのために）がトリガーされる。
【０２７６】
アップデートされたＣＳＩ要請フィールドがＣｏＭＰフィードバックに対して存在するか否かは、ＣＳＩ−ＲＳ−構成−インジケータ−プレゼンスをシグナリングする上述したＲＲＣシグナリングなしに、（１）ｅＮＢにより構成された非ゼロ−パワーＣＳＩ−ＲＳリソース数、（２）ｅＮＢにより構成された干渉推定数、及び（３）ｅＮＢにより示されたフィードバック構成数のうちの少なくとも１つに依存できる。
【０２７７】
少なくとも１つのＣＳＩ−ＲＳ構成が構成される場合に、オプションとしての非周期的−ＣＳＩ−ＲＳ−構成−トリガーフィールドは、どのＣＳＩ−ＲＳ構成に対して非周期的ＣＳＩ報告がトリガーされるかを示す。オプションとしての非周期的−ＣＳＩ−ＲＳ−構成−トリガーフィールドは、各サービングセル（またはＣＣ）ごとに定義されることができる。
【０２７８】
ＲＲＣシグナリングからの２個の異なるセットは、ＣＡ及びＣｏＭＰのために参照される。１つのセットは、ＣＡのためのものであり、各ＣＣは、サービングセルと呼ばれる。例えば、上位階層により構成されたサービングセルの第１のセットに対して非周期的ＣＳＩ報告がトリガーされる。
【０２７９】
他のセットは、ＣｏＭＰのためのものであり、ＣｏＭＰのための各ＴＰに対するＣＳＩフィードバック報告は、ＣｏＭＰ測定セットでＣＳＩ−ＲＳ構成のセットに対応する。例えば、上位階層により構成されたＣＳＩ−ＲＳ構成（すなわち、ＣｏＭＰ測定セット内で）の第１のセットに対して非周期的ＣＳＩ報告がトリガーされる。
非周期的ＣＳＩ報告のためのＣｏＭＰ測定セットは、周期的ＣＳＩ報告のためのＣｏＭＰ測定セットとは異なることがある。
【０２８０】
表８２乃至表８５は、新たなＣＳＩ要請フィールドの例を示し、従来のＣＳＩ要請フィールドが１ビットである場合に、新たなＣＳＩ要請フィールドは、１ビットであり、ＪＴのための追加のＣＳＩ要請フィールドは、１セットに設定される。対応するＣＳＩ−ＲＳ構成に対するＣＳＩ報告に加えて、対応するＣＳＩ−ＲＳ構成に対するＤＢのためのＣＳＩ報告がトリガーされる。
【０２８１】
【表８２】
2015502686.tif 000084
【０２８２】
【表８３】
2015502686.tif 000085
【０２８３】
【表８４】
2015502686.tif 000086
【０２８４】
【表８５】
2015502686.tif 000087
【０２８５】
表８６乃至表８９は、新たなＣＳＩ要請フィールドの例を示し、従来のＣＳＩ要請フィールドが１ビットである場合に、新たなＣＳＩ要請フィールドは１ビットであり、Ａ−ＣＳＩフィールドは存在しない。
【０２８６】
【表８６】
2015502686.tif 000088
【０２８７】
【表８７】
2015502686.tif 000089
【０２８８】
【表８８】
2015502686.tif 000090
【０２８９】
【表８９】
2015502686.tif 000091
【０２９０】
表９０及び表９１は、新たなＣＳＩ要請フィールドの例を示し、従来のＣＳＩ要請フィールドが１ビットである場合に、新たなＣＳＩ要請フィールドは２ビットであり、ＪＴのための追加のＣＳＩ要請フィールドは１に設定される。対応するＣＳＩ−ＲＳ構成に対するＣＳＩ報告に加えて、対応するＣＳＩ−ＲＳ構成に対するＪＴのためのＣＳＩ報告がトリガーされる。
【０２９１】
【表９０】
2015502686.tif 000092
【０２９２】
【表９１】
2015502686.tif 000093
【０２９３】
表９２乃至表９５は、新たなＣＳＩ要請フィールドの例を示し、従来のＣＳＩ要請フィールドが１ビットである場合に、新たなＣＳＩ要請フィールドは２ビットであり、Ａ−ＣＳＩフィールドは存在しない。
【０２９４】
【表９２】
2015502686.tif 000094
【０２９５】
【表９３】
2015502686.tif 000095
【０２９６】
【表９４】
2015502686.tif 000096
【０２９７】
【表９５】
2015502686.tif 000097
【０２９８】
表９６及び表９７は、新たなＣＳＩ要請フィールドの例を示し、従来のＣＳＩ要請フィールドが２ビットである場合に、新たなＣＳＩ要請フィールドは２ビットであり、ＪＴのための追加のＣＳＩ要請フィールドは１に設定される。対応するＣＳＩ−ＲＳ構成に対するＣＳＩ報告に加えて、対応するＣＳＩ−ＲＳに対するＤＢのためのＣＳＩ報告がトリガーされる。
【０２９９】
【表９６】
2015502686.tif 000098
【０３００】
【表９７】
2015502686.tif 000099
【０３０１】
表９８及び表９９は、新たなＣＳＩ要請フィールドの例を示し、従来のＣＳＩ要請フィールドが２ビットである場合に、新たなＣＳＩ要請フィールドは２ビットであり、Ａ−ＣＳＩフィールドは存在しない。
【０３０２】
【表９８】
2015502686.tif 000100
【０３０３】
【表９９】
2015502686.tif 000101
【０３０４】
表１００は、新たなＣＳＩ要請フィールドの例を示し、従来のＣＳＩ要請フィールドが２ビットである場合に、新たなＣＳＩ要請フィールドは３ビットであり、ＪＴのための追加のＣＳＩ要請フィールドは１に設定される。対応するＣＳＩ−ＲＳ構成に対するＣＳＩ報告に加えて、対応するＣＳＩ−ＲＳ構成に対するＪＴのためのＣＳＩ報告がトリガーされる。
【０３０５】
【表１００】
2015502686.tif 000102
【０３０６】
表１０１及び表１０２は、新たなＣＳＩ要請フィールドの例を示し、従来のＣＳＩ要請フィールドが２ビットである場合に、新たなＣＳＩ要請フィールドは３ビットであり、Ａ−ＣＳＩフィールドは存在しない。
【０３０７】
【表１０１】
2015502686.tif 000103
【０３０８】
【表１０２】
2015502686.tif 000104
【０３０９】
複数のＴＰ及びＪＴのための複数のＣＳＩ報告に対する追加のフィールドの説明について次の通りである。
【０３１０】
複数のＴＰのための複数のＣＳＩに対する新たなフィールドは、ＪＴのための追加のＣＳＩ要請フィールド（すなわち、Ａ−ＣＳＩ要請）及びＣＳＩ−ＲＳ構成インジケータフィールド（ＣＣＩＦ）を含む。
【０３１１】
第１のオプション的な実施形態において、ＣＣＩＦは、予め定義されたＣＳＩ−ＲＳ構成（または構成ら）のための非周期的ＣＳＩ報告を示す。例えば、最低構成インデックスを有するＣＳＩ−ＲＳ構成に対するフィードバックが示される。他の例として、ＣｏＭＰ測定セットのすべてのＣＳＩ−ＲＳ構成に対するフィードバックが示される。
【０３１２】
第２のオプション的な実施形態において、ＣＣＩＦは、ＵＥにより選択される最良のｍＣＳＩ−ＲＳ構成に対して非周期的ＣＳＩ報告フィードバックがトリガーされることを示す。‘ｍ’は、１乃至上位階層により構成されるＣｏＭＰ測定セットの大きさの整数値である。
【０３１３】
第３のオプション的な実施形態において、ＣＣＩＦは、上位階層により構成されるＣＳＩ−ＲＳ構成の予め定義されたセットに対して非周期的ＣＳＩ報告がトリガーされることを示す。複数のＣＳＩ−ＲＳ構成に対する非周期的ＣＳＩ報告の上で、Ａ−ＣＳＩ要請が１に設定される場合に、ＵＥは、対応するＣＳＩ−ＲＳ構成に基づいてＪＴのためのＣＳＩ報告を生成する。
【０３１４】
Ａ−ＣＳＩフィールドは、非周期的−ＣＳＩ−ＲＳ−構成−トリガー情報がＪＴのためのＣＳＩ報告を含むか否かを示すオプションとしてのフィールドである。ＵＥは、Ａ−ＣＳＩフィールド（例えば、これは、ＣｏＭＰに対するＣＳＩフィードバックのベースラインである）なしに、対応するＣＳＩ構成のＪＴのための追加のＣＳＩフィードバック及びＣＳＩフィードバックを常に有することができる。Ａ−ＣＳＩ要請フィールドは１ビットであり得、１に設定される場合に、ＪＴのための追加のＣＳＩフィードバックは、ＣＣＩＦに基づいて生成される。
【０３１５】
ＲＲＣシグナリングは、ＣＳＩ−ＲＳ構成インジケータフィールドが存在するか否かを示すＣＳＩ−ＲＳ−構成−インジケータ−プレゼンスフィールドを送信する。ＣＳＩ−ＲＳ−構成−インジケータ−プレゼンスフィールドは、Ａ−ＣＳＩフィールドが存在するか否かを示す。そうでないと、Ａ−ＣＳＩ要請フィールドに対して‘Ａ−ＣＳＩ−要請プレゼンス’フィールドの新たなＲＲＣシグナリングがある。
【０３１６】
ＣＳＩ−ＲＳ−構成−インジケータ−プレゼンスがディスエーブルされる場合に、予め定義されたＣＳＩ−ＲＳ構成（ら）に基づく非周期的ＣＳＩ報告がトリガーされることができる。例えば、ＣｏＭＰ測定セットのすべてのＣＳＩ−ＲＳ構成に対して非周期的ＣＳＩ報告がトリガーされ、ＣｏＭＰ測定セットですべてのＣＳＩ−ＲＳ構成に対して非周期的な追加のＣＳＩ報告（すなわち、ＪＴのために）がトリガーされる。
【０３１７】
ＣｏＭＰフィードバックに対してＣＳＩ−ＲＳ構成インジケータフィールドが存在するか否かは、ＣＳＩ−ＲＳ−構成−インジケータ−プレゼンスをシグナリングする上述したＲＲＣシグナリングなしに、
（１）ｅＮＢにより構成された非ゼロ−パワーＣＳＩ−ＲＳリソース数、
（２）ｅＮＢにより構成された干渉推定数
（３）ｅＮＢにより示されたフィードバック構成数
のうちの少なくとも１つに依存する。
【０３１８】
オプション的としての非周期的−ＣＳＩ−ＲＳ−構成−トリガーフィールドは、少なくとも１つのＣＳＩ−ＲＳ構成が構成される場合に、どのＣＳＩ−ＲＳ構成に対して非周期的ＣＳＩ報告がトリガーされるかを示す。オプションとしての非周期的−ＣＳＩ−ＲＳ−構成−トリガーフィールドは、各サービングセル（またはＣＣ）に対して定義されることができる。
【０３１９】
ＲＲＣシグナリングからの２個の異なるセットは、ＣＡ及びＣｏＭＰのために参照される。１つのセットは、ＣＡのためのものであり、各ＣＣは、サービングセルと呼ばれる。例えば、上位階層により構成されたサービングセルの第１のセットに対して非周期的ＣＳＩ報告がトリガーされる。
【０３２０】
他のセットは、ＣｏＭＰのためのものであり、ＣｏＭＰのための各ＴＰに対するＣＳＩフィードバック報告は、ＣｏＭＰ測定セットのＣＳＩ−ＲＳ構成のセットに対応する。例えば、上位階層により構成されたＣＳＩ−ＲＳ構成（すなわち、ＣｏＭＰ測定セット内）の第１のセットに対して非周期的ＣＳＩ報告がトリガーされる。
【０３２１】
ＣＣＩＦ及びＡ−ＣＳＩは、ＵＬ ＰＵＳＣＨスケジューリングに対して使用されないことがある（非周期的ＣＳＩ報告のためのものではない）。ＣＳＩ報告要請フィールドがゼロである場合に、ＣＣＩＦ／Ａ−ＣＳＩは、他の目的、例えば、ＲＲＭ（ＲＳＲＰ）測定トリガーリングのために使用されることができる。非周期的ＣＳＩ報告に対するＣｏＭＰ測定セットは、周期的ＣＳＩ報告に対するＣｏＭＰ測定セットと異なることがある。
【０３２２】
表１０３は、ＪＴのための追加のＣＳＩ要請フィールドが１に設定される場合に、ＲＲＣシグナリングなしにＣＳＩ−ＲＳ構成インジケータフィールド（１ビットケース）の例を示す。対応するＣＳＩ−ＲＳ構成に対するＣＳＩ報告に加えて、対応するＣＳＩ−ＲＳ構成に対するＪＴのためのＣＳＩ報告がトリガーされる。
【０３２３】
【表１０３】
2015502686.tif 000105
【０３２４】
表１０４乃至表１０６は、Ａ−ＣＳＩフィールドが存在しない場合に、ＲＲＣシグナリングなしに、ＣＳＩ−ＲＳ構成インジケータフィールド（１ビットケース）の例を示す。
【０３２５】
【表１０４】
2015502686.tif 000106
【０３２６】
【表１０５】
2015502686.tif 000107
【０３２７】
【表１０６】
2015502686.tif 000108
【０３２８】
表１０７乃至表１０９は、Ａ−ＣＳＩフィールドが存在しない場合に、ＲＲＣシグナリングなしに、ＣＳＩ−ＲＳ構成インジケータフィールド（１ビットケース）の例を示す。
【０３２９】
【表１０７】
2015502686.tif 000109
【０３３０】
【表１０８】
2015502686.tif 000110
【０３３１】
【表１０９】
2015502686.tif 000111
【０３３２】
表１１０は、ＪＴのための追加のＣＳＩ要請フィールドが１に設定される場合に、非周期的−ＣＳＩ−ＲＳ−構成−トリガーを用いてＣＳＩ−ＲＳ構成インジケータフィールド（１ビットケース）の例を示す。対応するＣＳＩ−ＲＳ構成に対するＣＳＩ報告に加えて、対応するＣＳＩ−ＲＳ構成のＪＴのためのＣＳＩ報告がトリガーされる。
【０３３３】
【表１１０】
2015502686.tif 000112
【０３３４】
表１１１乃至表１１３は、Ａ−ＣＳＩフィールドが存在しない場合に、非周期的−ＣＳＩ−ＲＳ−構成−トリガーを用いてＣＳＩ−ＲＳ構成インジケータフィールド（１ビットケース）の例を示す。
【０３３５】
【表１１１】
2015502686.tif 000113
【０３３６】
【表１１２】
2015502686.tif 000114
【０３３７】
【表１１３】
2015502686.tif 000115
【０３３８】
表１１４乃至表１１８は、Ａ−ＣＳＩフィールドが存在しない場合に、非周期的−ＣＳＩ−ＲＳ−構成−トリガーを用いてＣＳＩ−ＲＳ構成インジケータフィールド（１ビットケース）の例を示す。
【０３３９】
【表１１４】
2015502686.tif 000116
【０３４０】
【表１１５】
2015502686.tif 000117
【０３４１】
【表１１６】
2015502686.tif 000118
【０３４２】
【表１１７】
2015502686.tif 000119
【表１１８】
2015502686.tif 000120
【０３４３】
表１１９は、ＪＴのための追加のＣＳＩ要請フィールドが１に設定される場合に、ＲＲＣシグナリングなしにＣＳＩ−ＲＳ構成インジケータフィールド（２ビットケース）の例を示す。対応するＣＳＩ−ＲＳ構成に対するＣＳＩ報告に加えて、対応するＣＳＩ−ＲＳ構成に対するＪＴのためのＣＳＩ報告がトリガーされる。
【０３４４】
【表１１９】
2015502686.tif 000121
【０３４５】
表１２０は、Ａ−ＣＳＩフィールドが存在しない場合に、ＲＲＣシグナリングなしにＣＳＩ−ＲＳ構成インジケータフィールド（２ビットケース）の例を示す。
【０３４６】
【表１２０】
2015502686.tif 000122
【０３４７】
表１２１は、ＪＴのための追加のＣＳＩ要請フィールドが１に設定される場合に、非周期的−ＣＳＩ−ＲＳ−構成−トリガーを用いてＣＳＩ−ＲＳ構成インジケータフィールド（２ビットケース）の例を示す。対応するＣＳＩ−ＲＳ構成に対するＣＳＩ報告に加えて、対応するＣＳＩ−ＲＳ構成に対するＪＴのためのＣＳＩ報告がトリガーされる。
【０３４８】
【表１２１】
2015502686.tif 000123
【０３４９】
表１２２は、Ａ−ＣＳＩフィールドが存在しない場合に、非周期的−ＣＳＩ−ＲＳ−構成−トリガーを用いてＣＳＩ−ＲＳ構成インジケータフィールド（２ビットケース）の例を示す。
【０３５０】
【表１２２】
2015502686.tif 000124
【０３５１】
ＣＳＩ−ＲＳ構成インジケータフィールドは、ＲＲＣシグナリングなしにビットマップタイプを有することができる。ＪＴのための追加のＣＳＩ要請フィールドが１に設定される場合に、対応するＣＳＩ−ＲＳ構成に対するＣＳＩ報告に加えて、対応するＣＳＩ−ＲＳ構成に対するＪＴのためのＣＳＩ報告がトリガーされる。ビットマップタイプは、予め定義されたＣＳＩ−ＲＳ報告セット、例えば、３ビットにより示される。
［ＣＳＩＲＳ１、ＣＳＩＲＳ２、ＣＳＩＲＳ３］＝［０００］〜［１１１］
【０３５２】
ビット列の最左側ビット０は、ＣＳＩＲＳ＿Ｃｏｎｆｉｇｕｒａｔｉｏｎ＿Ｉｎｄｅｘ＝０を有するＣＳＩ−ＲＳ構成などに対応する。各ビットは、対応するＣＳＩ−ＲＳ構成に対する非周期的ＣＳＩ報告がトリガーされないことを意味する値０、または対応するＣＳＩ−ＲＳ構成に対する非周期的ＣＳＩ報告がトリガーされることを意味する値１を有する。
ＵＥは、複数のＣＳＩ−ＲＳ構成ビットが設定される場合に、ＪＴのためのＣＳＩ報告をフィードバックできる。
［ＣＳＩＲＳ１、ＣＳＩＲＳ２、ＣＳＩＲＳ３］＝［０１１］
【０３５３】
ＵＥは、ＣＳＩＲＳ２に対するＣＳＩ報告及びＣＳＩＲＳ３に対するＣＳＩ報告をフィードバックでき、ＣＳＩＲＳ２及びＣＳＩＲＳ３を考慮したＪＴのためのＣＳＩ報告がＪＴのために使用される。ＵＥは、Ａ−ＣＳＩフィールド（例えば、これは、ＣｏＭＰに対するＣＳＩフィードバックのベースラインであり得る）なしに、対応するＣＳＩ構成に対するＪＴのための追加のＣＳＩフィードバック及びＣＳＩフィードバックを常に有することができる。この場合に、ＣｏＭＰ測定セットの大きさは、３以下である。
ビットマップの大きさは、構成可能である。例えば、ＣＣＩＦの大きさは、上位階層シグナリングにより構成されることができる。
【０３５４】
キャリアインジケータフィールド（ＣＩＦ）は、新たなＣＣＩＦを付加する代わりに使用され得る。ＣＩＦは、表１２３に示すように３ビットである。（５ＣＣに対して）０００乃至１００のＣＩＦ情報が使用され、１０１乃至１１１のＣＩＦ情報は、専用されない。このような定義されない（または非専用）ビット割り当ては、ＣｏＭＰのための情報をフィードバックするために使用することができる。ＣｏＭＰフィードバックがトリガーされる場合には、単一ＣＣ送信が推定され得る。ＰＵＳＣＨに対するＣＣは、予め定義されるか（例えば、最低ＳｅｒｖＣｅｌｌＩｎｄｅｘ）、又は上位階層シグナリングで定義される。
【０３５５】
【表１２３】
2015502686.tif 000125
【０３５６】
Ａ−ＣＳＩは、非周期的−ＣＳＩ−ＲＳ−構成−トリガー情報がＪＴのためのＣＳＩ報告を含むか否かを示すオプションとしてのフィールドであり得る。ＵＥは、Ａ−ＣＳＩフィールド（例えば、これは、ＣｏＭＰに対するＣＳＩフィードバックのベースラインであり得る）なしに、対応するＣＳＩ構成に対するＪＴのための追加のＣＳＩフィードバック及びＣＳＩフィードバックを常に有することができる。Ａ−ＣＳＩ要請フィールドは、１ビットであり得、１に設定される場合に、ＤＳ／ＣＢのための追加のＣＳＩフィードバックは、ＣＳＩ−ＲＳ構成に対するＣＳＩ報告の上に生成される。
【０３５７】
ＲＲＣシグナリングからの２個の異なるセットがＣＡ及びＣｏＭＰのために参照される。１つのセットは、ＣＡのためのものであり、各ＣＣは、‘サービングセル’と呼ばれる。例えば、上位階層により構成されたサービングセルの第１のセットに対して非周期的ＣＳＩ報告がトリガーされる。
【０３５８】
他のセットはＣｏＭＰのためのものであり、ＣｏＭＰのための各ＴＰに対するＣＳＩフィードバック報告は、ＣｏＭＰ測定セットのＣＳＩ−ＲＳ構成のセットに対応する。例えば、上位階層により構成されたＣＳＩ−ＲＳ構成（すなわち、ＣｏＭＰ測定セット内）の第１のセットに対して非周期的ＣＳＩ報告がトリガーされる。
【０３５９】
少なくとも１つのＣＳＩ−ＲＳ構成が構成される場合に、ＲＲＣシグナリングは、どのＣＳＩ−ＲＳ構成に対して非周期的ＣＳＩ報告がトリガーされるかを示すオプションとしての非周期的−ＣＳＩ−ＲＳ−構成−トリガーフィールドを送信する。オプションとしての非周期的−ＣＳＩ−ＲＳ−構成−トリガーフィールドは、ＵＬ ＰＵＳＣＨに対してＣＣをスケジューリングするキャリアインジケータ情報を含むことができる。複数のＣＳＩ−ＲＳ構成に対する非周期的ＣＳＩ報告の上に、ＵＥは、対応するＣＳＩ−ＲＳ構成に基づいて、ＪＴのためのＣＳＩ報告を生成する。
図１３は、本発明の実施形態によるＤＣＩフォーマットの一例を示す。
【０３６０】
図１３を参照すると、ＤＣＩフォーマットは、ＣＩＦ、フラッグフォーマットフィールド、ＲＢ割り当てフィールド、オプションとしてのＣＳＩ−ＲＳ構成インジケータ１３０２、ＦＴ１３０４に対する追加のＣＳＩ要請フィールド、少なくとも１つのＭＣＳ及びＲＶフィールド、ＮＤＩ、ＴＰＣコマンド、ＯＣＣインデックス及びＤＭＲＳに対するＣＳ、ＴＤＤ専用のＴＤＤ構成フィールド、ＣＳＩ要請フィールド１３０６、１３０８、１３１０、ＳＲＳ要請フィールド、及び複数のクラスターフラッグを含む。ＣＳＩ要請フィールド１３０６、１３０８、１３１０は、１、２、または３ビットで構成可能である。
【０３６１】
上述した本発明の実施形態は、ＣｏＭＰのためのＰＵＳＣＨに対する非周期的ＣＳＩ報告、及び複数のＴＰ、ＤＳ／ＤＢ、及びＪＴのための複数のＣＳＩ報告のためのＣＳＩ報告を考慮する。しかしながら、複数のＴＰ、ＤＳ／ＤＢ、及びＪＴのための複数のＣＳＩ報告に対するＣＳＩ報告の組み合わせも可能である。
表１２４及び表１２５は、ＣＳＩ要請フィールドの例を示す。
【０３６２】
【表１２４】
2015502686.tif 000126
【０３６３】
【表１２５】
2015502686.tif 000127
【０３６４】
ＣｏＭＰ送信のためのＣＳＩ報告に対する上述した方法は、０または４の現在のＤＣＩフォーマットに適用することができ、また、ＣｏＭＰまたは他の送信のための新たなＤＣＩフォーマットに含まれることができる。
図１４は、本発明の実施形態によって、ＣｏＭＰのためのＣＳＩフィードバックの実行が要請されたＵＥの方法を示すフローチャートである。
【０３６５】
図１４を参照すると、ＵＥは、ステップ１４０２において、ＣＳＩ報告がＣｏＭＰ送信のためのＣＳＩフィードバック情報を含むか否かを示す上位階層シグナリングを受信する。ＵＥは、ステップ１４０４において、ＰＤＣＣＨを受信し、ＰＤＣＣＨがＣＳＩ要請フィールドを含むか否か、そして、ＵＥがフィードバックＣＳＩ情報をフィードバックするように対応するビットが設定されているか否かをチェックする。その後に、ＵＥは、ステップ１４０６において、ＣｏＭＰのためのＣＳＩ報告（すなわち、フィードバック割り当て）の種類がＵＥに要請されることを示す上位階層シグナリングがあるか否かを検査する。どのＣＳＩ−ＲＳ構成に対して非周期的ＣＳＩ報告がトリガーされるかを示す上位階層シグナリングが存在する場合に、ステップ１４１０において、ＵＥは、上位シグナリングに従ってＣｏＭＰのためのＣＳＩフィードバック報告とともにＰＵＳＣＨを送信する。どのＣＳＩ−ＲＳ構成に対して非周期的ＣＳＩ報告がトリガーされるかを示す上位階層シグナリングがない場合に、ステップ１４０８において、ＵＥは、予め定義されたＣＳＩ構成でＣｏＭＰのためのＣＳＩフィードバック報告とともにＰＵＳＣＨを送信する。
図１５は、本発明の実施形態によるＵＥを示すブロック図である。
【０３６６】
図１５を参照すると、ＵＥは、送受信器１５１０及び制御器１５２０を含む。送受信器１５１０は、外部装置、例えば、ノードＢとデータを送受信する。ここで、送受信器１５１０は、非周期的フィードバックインジケータを含むＤＣＩを受信するように、制御器１５２０の制御の下に中央制御装置と無線で通信し、ＣｏＭＰのためのチャネル情報を中央制御装置に送信する。
【０３６７】
制御器１５２０は、ＵＥのすべての構成要素の状態及び動作を制御する。ここで、制御器１５２０は、ＵＥとセルとの間で共有された情報に基づいて、協調通信のためのフィードバック情報を選択し、この選択されたセルに関するフィードバック情報を中央制御装置に送信する。したがって、制御器１５２０は、中央制御装置から受信した干渉関連情報及び少なくとも１つの測定セットからフィードバック情報を判定し、受信したＣＳＩ−ＲＳ及びＩＭＲを用いて信号及び干渉を推定するチャネル推定器１５３０を含む。チャネル推定器１５３０は、ＣｏＭＰに関連したフィードバック情報を中央制御装置に送信する送受信器１５１０を制御する。
【０３６８】
ここで、ＵＥは、送受信器１５１０及び制御器１５２０を含むと説明されているが、ＵＥの構成要素は、これに限定されない。すなわち、ＵＥは、例えば、ディスプレー、入力装置などのＵＥで実行される機能に従う様々な構成要素をさらに含んでもよい。
【０３６９】
図１６は、本発明の実施形態による中央制御装置を示すブロック図である。ここで、中央制御装置は、ノードＢまたは個別のネットワークエンティティーで具現されてもよい。
【０３７０】
図１６を参照すると、中央制御装置は、制御器１６１０及び送受信器１６２０を含む。制御器１６１０は、中央制御装置のすべての構成要素の状態及び動作を制御する。ここで、制御器１６１０は、ＵＥのチャネル推定のためのセルに対するＣＳＩ−ＲＳ及びＩＭＲを各リソースに割り当て、非周期的フィードバックインジケータを設定する。したがって、制御器１６１０は、ＵＥが各セルに対するチャネルを推定できるようにＣＳＩ−ＲＳをリソースに割り当てるリソース割り当て部１６３０を含み、この割り当てられたリソースを使用してＣＳＩ−ＲＳを送信する。セルごとに割り当てられたリソースは、各セルのチャネル推定のためにＣＳＩ−ＲＳに対応するように割り当てられる。また、リソース割り当て部１６３０は、各ＵＥがＩＭＲを通して干渉を適切に反映するように適切なＩＭＲを構成する。
【０３７１】
送受信器１６２０は、中央制御装置により管理されるセルまたはＵＥとデータを送受信する。ここで、送受信器１６２０は、制御器１６１０の制御の下に割り当てられたリソースを通してＣＳＩ−ＲＳ及びＩＭＲをＵＥに送信し、非周期的フィードバックインジケータを含むＤＣＩを送信し、ＵＥからチャネル情報に関する少なくとも１つのフィードバックを受信する。
【０３７２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０３７３】
１５１０  送受信器
１５２０  制御器
１５３０  チャネル推定器
１６１０  制御器
１６２０  送受信器
１６３０  リソース割り当て部
【図１】
2015502686.tif 000128
【図２】
2015502686.tif 000129
【図３】
2015502686.tif 000130
【図４】
2015502686.tif 000131
【図５】
2015502686.tif 000132
【図６】
2015502686.tif 000133
【図７】
2015502686.tif 000134
【図８】
2015502686.tif 000135
【図９】
2015502686.tif 000136
【図１０】
2015502686.tif 000137
【図１１】
2015502686.tif 000138
【図１２】
2015502686.tif 000139
【図１３】
2015502686.tif 000140
【図１４】
2015502686.tif 000141
【図１５】
2015502686.tif 000142
【図１６】
2015502686.tif 000143
【国際調査報告】
2015502686.tif 000144
2015502686.tif 000145